(57)【要約】【課題】自分が居た時間および場所と関係付けられた撮影画像や音声などの情報を、容易に得ることができるようにする。【解決手段】情報提供側装置と情報要求側装置とが接近して、無線接続が可能になったことを判別する。無線接続されたと判別したとき、情報要求側装置は、自装置を特定するための第１の識別情報および情報取得要求を情報提供側装置に送り、情報提供側装置は、第１の識別情報および情報取得要求を受け付けて、そのときの時間情報と対応させて保持する。情報提供側装置は、情報格納手段に格納されている情報のうちの、保持された時間情報に応じた時間に取り込まれた情報を、第１の識別情報に対応付けた状態で、サーバ装置にアップロードする。情報要求側装置は、サーバ装置に接続し、第１の識別情報に基づいて、アップロードされた情報をサーバ装置から取得する。【選択図】図１
2005086504.tif 000002
【特許請求の範囲】
【請求項１】
情報提供側装置と、携帯機器からなる情報要求側装置とからなり、
前記情報提供側装置は、
情報取り込み手段により情報を取り込んで格納する情報格納手段と、
前記情報要求側装置と直接的に無線通信を行なうための第１の無線通信手段と、
前記情報要求側装置が接近して、前記第１の無線通信手段により、前記情報要求側装置と無線接続が可能になったか否かを判別する第１の判別手段と、
前記第１の判別手段で、前記情報要求側装置と無線接続されたと判別されたときに、前記第１の無線通信手段を通じて前記情報要求側装置側を特定するための第１の識別情報を含む情報取得要求を受け付けて、そのときの時間情報と対応させて保持する第１の保持手段と、
前記情報格納手段に格納された情報のうちの、少なくとも前記第１の保持手段で保持された前記時間情報に応じた時間に前記情報取り込み手段により取り込まれた情報を、前記第１の識別情報に対応付けた状態で、前記情報提供側装置からアップロードされる情報の配信を管理するサーバ装置にネットワークを通じてアップロードして保持させるようにする手段と、
を備え、
前記情報要求側装置は、
前記情報提供側装置と直接的に無線通信を行なうための第２の無線通信手段と、
前記情報提供側装置が接近して、前記第２の無線通信手段により、前記情報提供側装置と無線接続が可能になったか否かを判別する第２の判別手段と、
前記第２の判別手段で、前記情報提供側装置と無線接続されたと判別されたときに、前記第２の無線通信手段を通じて前記第１の識別情報を含む情報取得要求を、前記情報提供側装置に送る手段と、
前記情報取得要求を、当該情報取得要求を前記情報提供装置に送ったときの時間情報に対応させて保持する第２の保持手段と、
前記第２の保持手段で保持された前記情報取得要求に基づいて、ネットワークを通じて前記サーバ装置に接続し、前記サーバ装置に保持された前記情報提供側装置からアップロードされた情報を、前記第１の識別情報に基づいて、前記サーバ装置から取得する手段と、
を備えることを特徴とする情報取得システム。
【請求項２】
請求項１に記載の情報取得システムにおいて、
前記情報提供側装置は、
前記情報要求側装置からの前記情報取得要求を受け付けたときに、前記サーバ装置のネットワーク上のアドレス情報を前記第１の無線通信手段を通じて前記情報要求側装置に送る手段を備え、
前記情報要求側装置は、
前記情報取得要求に対応して前記情報提供側装置から送られてくる、前記サーバ装置のネットワーク上のアドレス情報を前記第２の無線通信手段を通じて受信して、前記情報取得要求に対応付けて前記第２の保持手段に保持すると共に、
前記第２の保持手段で保持された前記アドレス情報を用いて前記サーバ装置に接続し、前記サーバ装置に保持された前記情報提供側装置からアップロードされた情報を、前記第１の識別情報に基づいて、前記サーバ装置から取得する
ことを特徴とする情報取得システム。
【請求項３】
請求項１に記載の情報取得システムにおいて、
前記情報提供側装置は、所定の位置に設置された装置により構成されることを特徴とする情報取得システム。
【請求項４】
請求項１に記載の情報取得システムにおいて、
前記情報提供側装置は、携帯機器であって、前記情報要求側装置に、当該携帯機器を特定するための第２の識別情報をも送ると共に、前記サーバ装置に、前記第２の識別情報をも前記情報取得要求された情報に関連させてアップロードし、
前記情報要求側装置は、前記第２の識別情報を受信して前記第２の保持手段に保持すると共に、前記第２の識別情報をも参照して、前記サーバ装置から前記情報を取得する
ことを特徴とする情報取得システム。
【請求項５】
請求項１に記載の情報取得システムにおいて、
前記情報提供側装置の前記情報取り込み手段は撮像手段であり、前記情報取得要求の対象情報は、前記撮像手段で撮像された撮像画像情報である
ことを特徴とする情報取得システム。
【請求項６】
請求項５に記載の情報取得システムにおいて、
前記第１の保持手段に保持される前記時間情報は、前記情報提供側装置と前記情報要求側装置との間で前記無線接続されている期間の始点と終点の時間情報であり、
前記情報提供側装置は、前記始点と終点の時間情報で示される期間の撮像画像情報を、前記サーバ装置にアップロードする
ことを特徴とする情報取得システム。
【請求項７】
請求項５に記載の情報取得システムにおいて、
前記情報提供側装置と前記情報要求側装置との間で前記無線接続されている期間の始点と終点の時間情報が、前記時間情報として前記第１の保持手段および第２の保持手段にそれぞれ保持され、
前記情報提供側装置は、前記始点と終点の時間情報で示される期間の撮像画像情報を、前記時間情報と共に前記サーバ装置にアップロードし、
前記情報要求側装置は、前記第１の識別情報と前記時間情報とに基づいて、前記サーバ装置に前記情報提供側装置からアップロードされた情報を、前記サーバ装置から取得する
ことを特徴とする情報取得システム。
【請求項８】
請求項５に記載の情報取得システムにおいて、
前記情報提供側装置は、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データと、その他の撮像画像データとを区別する情報を前記撮像画像データに付加する手段と、
を備えることを特徴とする情報取得システム。
【請求項９】
請求項５に記載の情報取得システムにおいて、
前記情報提供側装置および前記情報要求側装置との間で無線接続されたときに、相互に情報提供および情報要求の方針、条件などに関するポリシー情報を交換し、齟齬がないと判別したときに、前記情報提供側装置は、前記情報要求側装置から情報取得要求を受け付ける
ことを特徴とする情報取得システム。
【請求項１０】
請求項９に記載の情報取得システムにおいて、
前記情報提供側装置および／または前記情報要求側装置は、前記ポリシー情報を変更する操作部を備える
ことを特徴とする情報取得システム。
【請求項１１】
請求項５に記載の情報取得システムにおいて、
前記情報要求側装置は、前記情報提供側装置と無線接続されているときに、情報取得要求していることを報知する手段を備える
ことを特徴とする情報取得システム。
【請求項１２】
請求項５に記載の情報取得システムにおいて、
前記情報提供側装置は、前記情報要求側装置から前記情報取得要求を受信していることを報知する手段を備える
ことを特徴とする情報取得システム。
【請求項１３】
請求項８に記載の情報取得システムにおいて、
前記情報提供側装置は、前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする情報取得システム。
【請求項１４】
情報要求側装置と直接的に無線通信を行なうための無線通信手段と、
情報取り込み手段により情報を取り込んで格納する情報格納手段と、
前記情報要求側装置が接近して、前記無線通信手段により、前記情報要求側装置と無線接続が可能になったか否かを判別する判別手段と、
前記判別手段で、前記情報要求側装置と無線接続されたと判別されたときに、前記無線通信手段を通じて前記情報要求側装置側を特定するための第１の識別情報を含む情報取得要求を受け付けて、そのときの時間情報と対応させて保持する保持手段と、
前記情報格納手段に格納された情報のうちの、少なくとも前記保持手段で保持された前記時間情報に対応する時間に前記情報取り込み手段により取り込まれた情報を、前記第１の識別情報に対応付けた状態で、前記情報提供側装置からアップロードされる情報の配信を管理するサーバ装置にネットワークを通じてアップロードして保持させるようにする手段と、
を備えることを特徴とする情報提供側装置。
【請求項１５】
請求項１４に記載の情報提供側装置において、
前記情報要求側装置からの前記情報取得要求を受け付けたときに、前記サーバ装置のネットワーク上のアドレス情報を前記無線通信手段を通じて前記情報要求側装置に送る手段を備えることを特徴とする情報提供側装置。
【請求項１６】
請求項１４に記載の情報提供側装置において、
前記情報提供側装置は、携帯機器であって、前記情報要求側装置に、当該携帯機器を特定するための第２の識別情報をも送ると共に、前記サーバ装置に、前記第２の識別情報をも前記情報取得要求された情報に関連させてアップロードする
ことを特徴とする情報提供側装置。
【請求項１７】
請求項１４に記載の情報提供側装置において、
所定の位置に設置された装置により構成されることを特徴とする情報提供側装置。
【請求項１８】
請求項１４に記載の情報提供側装置において、
撮像手段を備え、前記情報取得要求の対象情報は、前記撮像手段で撮像された撮像画像情報である
ことを特徴とする情報提供側装置。
【請求項１９】
請求項１８に記載の情報提供側装置において、
前記保持手段に保持される前記時間情報は、前記情報提供側装置と前記情報要求側装置との間で前記無線接続されている期間の始点と終点の時間情報であり、
前記始点と終点の時間情報で示される期間の撮像画像情報を、前記サーバ装置にアップロードする
ことを特徴とする情報提供側装置。
【請求項２０】
請求項１８に記載の情報提供側装置において、
前記保持手段に保持される前記時間情報は、前記情報提供側装置と前記情報要求側装置との間で前記無線接続されている期間の始点と終点の時間情報であり、
前記始点と終点の時間情報で示される期間の撮像画像情報を、前記時間情報と共に前記サーバ装置にアップロードする
ことを特徴とする情報提供側装置。
【請求項２１】
請求項１８に記載の情報提供側装置において、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データと、その他の撮像画像データとを区別する情報を前記撮像画像データに付加する手段と、
を備えることを特徴とする情報提供側装置。
【請求項２２】
請求項１８に記載の情報提供側装置において、
前記情報要求側装置との間で無線接続されたときに、相互に情報提供および情報要求の方針、条件などに関するポリシー情報を交換し、齟齬がないと判別したときに、前記情報要求側装置から情報取得要求を受け付ける
ことを特徴とする情報提供側装置。
【請求項２３】
請求項２２に記載の情報提供側装置において、
前記ポリシー情報を変更する操作部を備える
ことを特徴とする情報提供側装置。
【請求項２４】
請求項１８に記載の情報提供側装置において、
前記情報要求側装置から前記情報取得要求を受信していることを外部に対して報知する手段を備える
ことを特徴とする情報提供側装置。
【請求項２５】
請求項２１に記載の情報提供側装置において、
前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする情報提供側装置。
【請求項２６】
情報提供側装置と直接的に無線通信を行なうための無線通信手段と、
前記情報提供側装置が接近して、前記無線通信手段により、前記情報提供側装置と無線接続が可能になったか否かを判別する判別手段と、
前記判別手段で、前記情報提供側装置と無線接続されたと判別されたときに、前記無線通信手段を通じて第１の識別情報を含む情報取得要求を、前記情報提供側装置に送る手段と、
前記情報取得要求を、当該情報取得要求を前記情報提供装置に送ったときの時間情報に対応させて保持する保持手段と、
前記保持手段で保持された前記情報取得要求に基づいて、ネットワークを通じて、前記情報提供側装置からアップロードされる情報の配信を管理するサーバ装置に接続し、前記サーバ装置に保持された前記情報提供側装置からアップロードされた情報を、前記第１の識別情報に基づいて、前記サーバ装置から取得する手段と、
を備えることを特徴とする情報要求側装置。
【請求項２７】
請求項２６に記載の情報要求側装置において、
前記情報取得要求に対応して前記情報提供側装置から送られてくる、前記サーバ装置のネットワーク上のアドレス情報を前記無線通信手段を通じて受信して前記保持手段に保持すると共に、
前記保持手段で保持された前記アドレス情報を用いて前記サーバ装置に接続し、前記サーバ装置に保持された前記情報提供側装置からアップロードされた情報を、前記第１の識別情報に基づいて、前記サーバ装置から取得する手段と、
を備えることを特徴とする情報要求側装置。
【請求項２８】
請求項２６に記載の情報要求側装置において、
前記情報提供側装置を特定するための第２の識別情報を受信して前記保持手段に保持すると共に、前記第２の識別情報をも参照して、前記サーバ装置から前記情報を取得する
ことを特徴とする情報要求側装置。
【請求項２９】
請求項２６に記載の情報要求側装置において、
前記情報提供側装置は、撮像手段を備え、前記情報取得要求の対象情報は、前記撮像手段で撮像された撮像画像情報である
ことを特徴とする情報要求側装置。
【請求項３０】
請求項２９に記載の情報要求側装置において、
前記情報提供側装置との間で前記無線接続されている期間の始点と終点の時間情報が、前記保持手段に保持され、
前記第１の識別情報と前記時間情報とに基づいて、前記サーバ装置に前記情報提供側装置からアップロードされた前記始点と終点の時間情報で示される期間の撮像画像情報を、前記サーバ装置から取得する
ことを特徴とする情報要求側装置。
【請求項３１】
請求項２９に記載の情報要求側装置において、
前記情報提供側装置との間で無線接続されたときに、相互に情報提供および情報要求の方針、条件などに関するポリシー情報を交換する手段を備え、
齟齬がないときに、前記情報提供側装置で前記情報取得要求が受け付けられる
ことを特徴とする情報要求側装置。
【請求項３２】
請求項３１に記載の情報要求側装置において、
前記ポリシー情報を変更する操作部を備える
ことを特徴とする情報要求側装置。
【請求項３３】
請求項２６に記載の情報要求側装置において、
前記情報提供側装置と無線接続されているときに、情報取得要求していることを報知する手段を備える
ことを特徴とする情報要求側装置。
【請求項３４】
携帯型の情報要求・提供装置であって、
情報取り込み手段により情報を取り込んで格納する情報格納手段と、
他の情報要求・提供装置と直接的に無線通信を行なうための無線通信手段と、
前記他の情報要求・提供装置が接近して、前記無線通信手段により、前記他の情報要求・提供装置と無線接続が可能になったか否かを判別する判別手段と、
前記判別手段で、前記他の情報要求・提供装置と無線接続されたと判別されたときに、前記無線通信手段を通じて前記他の情報要求・提供装置側を特定するための第１の識別情報を含む情報取得要求を受け付けて、そのときの時間情報と対応させて保持する第１の保持手段と、
前記情報格納手段に格納された情報のうちの、少なくとも前記第１の保持手段で保持された前記時間情報に対応する時間に前記情報取り込み手段により取り込まれた情報を、前記第１の識別情報に対応付けた状態で、第１のサーバ装置にネットワークを通じてアップロードして保持させるようにする手段と、
前記判別手段で、前記他の情報要求・提供装置と無線接続されたと判別されたときに、前記無線通信手段を通じて前記自己の情報要求・提供装置を特定するための第２の識別情報を含む情報取得要求を、前記他の情報要求・提供装置に送る手段と、
前記第２の識別情報を含む前記情報取得要求を、前記他の情報要求・提供装置に送ったときの時間情報に対応させて保持する第２の保持手段と、
前記第２の保持手段で保持された前記第２の識別情報を含む前記情報取得要求に基づいて、ネットワークを通じて第２のサーバ装置に接続し、前記第２のサーバ装置に保持された前記他の情報要求・提供装置からアップロードされた情報を、前記第２の識別情報に基づいて、前記第２のサーバ装置から取得する手段と、
を備えることを特徴とする情報要求・提供装置。
【請求項３５】
請求項３４に記載の情報要求・提供装置において、
前記第１のサーバ装置と前記第２のサーバ装置とは、共通の一つのサーバ装置であることを特徴とする情報要求・提供装置。
【請求項３６】
請求項３４に記載の情報要求・提供装置において、
前記第１のサーバ装置と前記第２のサーバ装置とは、異なるものであって、
前記他の情報要求・提供装置からの前記情報取得要求を受け付けたときに、少なくとも、自己の情報要求・提供装置からアップロードされる情報の配信を管理する第１のサーバ装置のネットワーク上のアドレス情報を前記無線通信手段を通じて前記他の情報要求・提供装置に送る手段を備えると共に、
前記第２の保持手段は、前記情報取得要求に対応して前記他の情報要求・提供装置から送られてくる、前記他の情報要求・提供装置からアップロードされる情報の配信を管理する第２のサーバ装置のネットワーク上のアドレス情報と、前記他の情報要求・提供装置を特定するための前記第１の識別情報を、前記無線通信手段を通じて受信して、そのときの時間情報と対応させて保持し、
前記第２の保持手段で保持された前記アドレス情報を用いて前記第２のサーバ装置に接続し、前記第２のサーバ装置に保持された前記他の情報要求・提供装置からアップロードされた情報を、前記第２の保持手段で保持された前記第１の識別情報および前記第２の識別情報に基づいて、前記第２のサーバ装置から取得する
ことを特徴とする情報要求・提供装置。
【請求項３７】
請求項３４に記載の情報要求・提供装置において、
前記情報取り込み手段は撮像手段であり、前記情報取得要求の対象情報および情報提供の対象は、前記撮像手段で撮像された撮像画像情報である
ことを特徴とする情報要求・提供装置。
【請求項３８】
請求項３７に記載の情報要求・提供装置において、
前記第１の保持手段および前記第２の保持手段に保持される前記時間情報は、前記他の情報要求・提供装置との間で前記無線接続されている期間の始点と終点の時間情報であり、
前記情報提供側装置は、前記始点と終点の時間情報で示される期間の撮像画像情報を、前記サーバ装置にアップロードする
ことを特徴とする情報要求・提供装置。
【請求項３９】
請求項３７に記載の情報要求・提供装置において、
前記無線接続中の前記他の情報要求・提供装置の使用者を、前記撮像手段により撮像可能かどうかを判断する撮像可能性判断手段と、
前記撮像可能性判断手段で前記無線接続中の前記他の情報要求・提供装置の使用者を前記撮像手段により撮像可能であると判断したときの前記撮像画像データと、その他の撮像画像データとを区別する情報を前記撮像画像データに付加する手段と、
を備えることを特徴とする情報要求・提供装置。
【請求項４０】
請求項３７に記載の情報要求・提供装置において、
前記他の情報要求・提供装置との間で無線接続されたときに、相互に情報提供および情報要求の方針、条件などに関するポリシー情報を交換し、情報取得要求可能であるか、あるいは情報提供をするかを判別する
ことを特徴とする情報要求・提供装置。
【請求項４１】
請求項４０に記載の情報要求・提供装置において、
前記ポリシー情報を変更する操作部を備える
ことを特徴とする情報要求・提供装置。
【請求項４２】
請求項３７に記載の情報要求・提供装置において、
前記他の情報要求・提供装置と無線接続されているときに、情報取得要求していることを報知する手段を備える
ことを特徴とする情報要求・提供装置。
【請求項４３】
請求項３７に記載の情報要求・提供装置において、
前記他の情報要求・提供装置から前記情報取得要求を受信していることを報知する手段を備える
ことを特徴とする情報要求・提供装置。
【請求項４４】
請求項３９に記載の情報要求・提供装置において、
前記撮像可能性判断手段で前記無線接続中の前記他の情報要求・提供装置の使用者を前記撮像手段により撮像可能であると判断したときに、前記情報取得要求している前記他の情報要求・提供装置が存在することをユーザに報知する手段を備える
ことを特徴とする情報要求・提供装置。
【請求項４５】
情報取り込み手段により情報を取り込んで格納する情報格納手段と、
前記情報格納手段に格納される情報の情報取得要求を、当該情報取得要求を識別するための第１の識別情報と共に、そのときの時間情報と対応させて保持する保持手段と、
前記情報格納手段に格納された情報のうちの、少なくとも前記保持手段で保持された前記時間情報に対応する時間に前記情報取り込み手段により取り込まれた情報を、前記第１の識別情報に対応付けた状態で、サーバ装置にネットワークを通じてアップロードして保持させるようにする手段と、
を備えることを特徴とする情報提供側装置。
【請求項４６】
情報提供側装置と、携帯機器からなる情報要求側装置とからなり、
前記情報提供側装置は、
情報記録装置と、
前記情報記録装置で記録した情報を、当該記録が実行された場所の情報と、当該記録が実行された時間の情報とを伴って、サーバ装置に送信して、サーバ装置に保持させるようにする手段と
を備え、
前記情報要求側装置は、
位置検出手段と、
当該位置検出手段で検出された位置情報を、検出時点の時間情報と対応させて保持する保持手段と、
前記保持手段に保持されている前記位置情報および対応する時間情報の中から、前記記録情報を取得したい前記位置情報および対応する時間情報を指定するための指定手段と、
前記指定手段により指定された前記位置情報および対応する時間情報とに基づいて、前記サーバ装置に保持された情報を検索して取得する手段と、
を備えることを特徴とする情報取得システム。
【請求項４７】
請求項４６に記載の情報取得システムにおいて、
前記情報提供側装置は、撮像手段を備え、前記サーバ装置に保持される情報は、前記撮像手段で撮像された撮像画像情報である
ことを特徴とする情報取得システム。
【請求項４８】
情報取り込み手段により情報を取り込んで格納する情報格納手段と無線通信手段とを備える情報提供側装置と、携帯機器からなり無線通信手段を備える情報要求側装置とが、同一時間かつ同一の場所に存在したときに、前記情報格納手段に格納された情報を、前記情報要求側装置が取得するようにする情報取得方法であって、
前記情報提供側装置と前記情報要求側装置とが接近して、無線接続が可能になったことを、それぞれの情報提供側装置および情報要求側装置において判別する判別工程と、
前記判別工程で無線接続されたと判別した前記情報要求側装置が、当該情報要求側装置を特定するための第１の識別情報を含む情報取得要求を前記情報提供側装置に送る工程と、
前記判別工程で無線接続されたと判別した前記情報提供側装置が、前記情報要求側装置側からの前記第１の識別情報を含む前記情報取得要求を受け付けて、そのときの時間情報と対応させて保持する第１の保持工程と、
前記情報提供側装置が、前記第１の保持工程で保持された前記情報取得要求に基づいて、前記情報格納手段に格納されている情報のうちの、少なくとも前記第１の保持手段で保持された前記時間情報に応じた時間に前記情報取り込み手段により取り込まれた情報を、前記第１の識別情報に対応付けた状態で、前記情報提供側装置からアップロードされる情報を管理するサーバ装置にネットワークを通じてアップロードして保持させるようにする工程と、
前記情報要求側装置が、前記第２の保持工程で保持された前記情報取得要求に基づいて、ネットワークを通じて前記サーバ装置に接続し、前記サーバ装置に保持された前記情報提供側装置からアップロードされた情報を、前記第１の識別情報に基づいて、前記サーバ装置から取得する情報取得工程と、
を備えることを特徴とする情報取得方法。
【請求項４９】
請求項４８に記載の情報取得方法において、
前記情報提供側装置が、前記情報要求側装置からの前記情報取得要求を受け付けた後に、自己の情報提供側装置からアップロードされる情報を管理するサーバ装置のネットワーク上のアドレス情報を前記情報要求側装置に送る工程を備えると共に、
前記第２の保持工程において、前記情報要求側装置が、前記情報提供側装置からの前記サーバ装置のネットワーク上のアドレス情報を受信して保持し、
前記情報取得工程において、前記アドレス情報を用いて前記サーバ装置に接続し、前記サーバ装置に保持された前記情報提供側装置からアップロードされた情報を、前記第１の識別情報に基づいて、前記サーバ装置から取得する
ことを特徴とする情報取得方法。
【請求項５０】
請求項４８に記載の情報取得方法において、
前記情報提供側装置は、携帯機器であって、前記情報要求側装置に、当該携帯機器を特定するための第２の識別情報をも送ると共に、前記サーバ装置に、前記第２の識別情報をも前記情報取得要求された情報に関連させてアップロードし、
前記情報要求側装置は、前記第２の識別情報を受信して前記第２の保持手段に保持すると共に、前記第２の識別情報をも参照して、前記サーバ装置から前記情報を取得する
ことを特徴とする情報取得方法。
【発明の詳細な説明】
【技術分野】
【０００１】
この発明は、或る時間に、或る場所にいたユーザが、当該時間ないし当該場所における画像情報や音声情報等の記録情報などの情報を、取得することができるようにする情報取得システムおよび当該システムに使用する情報要求・提供装置、情報提供側装置、情報要求側装置ならびに情報取得方法に関するものである。
【背景技術】
【０００２】
例えば、旅行で観光名所に行ったり、テーマパークや花火大会等のイベント会場に行ったりした場合に、自分がスチルカメラやビデオカメラを持参していないときには、カメラを所持している他人に撮影してもらって、後日、当該撮影してもらった画像をもらうようにすることが行なわれている。
【０００３】
また、自分がスチルカメラやビデオカメラを持参しているときには、当該カメラを用いて、自分の視点からの、当該観光名所の風景や同行した人を撮影したり、イベントを撮影したりして、記念として残すようにする。
【０００４】
しかし、カメラを所持して撮影している人は、自分の視点からの風景や他の同行者を撮影することができても、自分自身を撮影することはできない。そこで、自分自身が写っている画像が欲しい場合には、自分のカメラを他人に渡して、その他人に撮影してもらったり、カメラを所持している他人に撮影してもらって、後日、当該撮影してもらった画像をもらったりすることが行なわれている。
【０００５】
また、従来、特許文献１（特開２００３−３６３６５号公報）には、遠くの観光地や込み合っている観光スポットの映像や音声などの新鮮なライブ情報を、たまたまその場にいる特派員から得て、配信するようにすることが記載されている。
【特許文献１】特開２００３−３６３６５号公報。
【発明の開示】
【発明が解決しようとする課題】
【０００６】
しかしながら、他人に撮影してもらって、後日、当該撮影された画像や音声をその他人からもらうようにすることは、当該他人の善意によるところが大きく、当該他人および本人にとっても精神的な負担になることもある。また、撮影された画像や音声を取得するためには、住所を知らせたり、メールアドレスを知らせたりする必要もあり、厄介であると共に、知らない人には頼みづらい。
【０００７】
また、自分が所持しているスチルカメラやビデオカメラで、自分が撮影した画像は、自分の視点から見たものであるので、画像情報として恣意的な画像になりやすい。そこで、同じ時刻に同じ場所にいた他人の視点で撮影された画像を得たい場合が多々あるが、当該他人から、撮影された画像を取得するためには、上述と同様の問題がある。
【０００８】
また、特許文献１の技術を用いれば、他人の視点から見た撮影画像を手に入れることができるが、特許文献１の技術においては、自分が居た場所、時間と関係付けられた撮影画像を得るようになってはおらず、上述のように、自分が居た時間および場所と、同じ時間および同じ場所の撮影画像や音声を得ることができない。
【０００９】
この発明は、以上の点にかんがみ、自分が居た時間および場所と関係付けられた撮影画像や音声などの情報を、容易に得ることができるようにすることを目的とする。
【課題を解決するための手段】
【００１０】
上記の課題を解決するために、請求項１の発明は、
情報提供側装置と、携帯機器からなる情報要求側装置とからなり、
前記情報提供側装置は、
情報取り込み手段により情報を取り込んで格納する情報格納手段と、
前記情報要求側装置と直接的に無線通信を行なうための第１の無線通信手段と、
前記情報要求側装置が接近して、前記第１の無線通信手段により、前記情報要求側装置と無線接続が可能になったか否かを判別する第１の判別手段と、
前記第１の判別手段で、前記情報要求側装置と無線接続されたと判別されたときに、前記第１の無線通信手段を通じて前記情報要求側装置側を特定するための第１の識別情報を含む情報取得要求を受け付けて、そのときの時間情報と対応させて保持する第１の保持手段と、
前記情報格納手段に格納された情報のうちの、少なくとも前記第１の保持手段で保持された前記時間情報に応じた時間に前記情報取り込み手段により取り込まれた情報を、前記第１の識別情報に対応付けた状態で、前記情報提供側装置からアップロードされる情報の配信を管理するサーバ装置にネットワークを通じてアップロードして保持させるようにする手段と、
を備え、
前記情報要求側装置は、
前記情報提供側装置と直接的に無線通信を行なうための第２の無線通信手段と、
前記情報提供側装置が接近して、前記第２の無線通信手段により、前記情報提供側装置と無線接続が可能になったか否かを判別する第２の判別手段と、
前記第２の判別手段で、前記情報提供側装置と無線接続されたと判別されたときに、前記第２の無線通信手段を通じて前記第１の識別情報を含む情報取得要求を、前記情報提供側装置に送る手段と、
前記情報取得要求を、当該情報取得要求を前記情報提供装置に送ったときの時間情報に対応させて保持する第２の保持手段と、
前記第２の保持手段で保持された前記情報取得要求に基づいて、ネットワークを通じて前記サーバ装置に接続し、前記サーバ装置に保持された前記情報提供側装置からアップロードされた情報を、前記第１の識別情報に基づいて、前記サーバ装置から取得する手段と、
を備えることを特徴とする情報取得システムを提供する。
【００１１】
この請求項１の情報取得システムにおいては、情報提供側装置と、情報要求側装置とが無線接続が可能な所定の距離まで接近すると、互いに無線接続の状態を判別する。この無線接続の状態は、情報提供側装置と、情報要求側装置とが同じ時間に同じ場所に居たことを保証する。
【００１２】
無線接続されたと判別した情報要求側装置は、当該情報要求側装置を特定するための第１の識別情報を含む情報取得要求を情報提供側装置に送る。また、無線接続されたと判別した情報提供側装置は、情報要求側装置側からの第１の識別情報を含む情報取得要求を受け付けて、そのときの時間情報と対応させて保持する。
【００１３】
その後、情報提供側装置は、保持した情報取得要求に基づいて、情報格納手段に格納されている情報のうちの、少なくとも当該情報取得要求に対応して保持した前記時間情報に応じた時間に情報取り込み手段により取り込んだ情報を、第１の識別情報に対応付けた状態で、サーバ装置にネットワークを通じてアップロードして、サーバ装置に保持させるようにする。
【００１４】
一方、情報要求側装置は、例えば予め保持していたアドレス情報を用いて前記サーバ装置に接続し、当該サーバ装置に保持されている情報提供側装置からアップロードされた情報を、第１の識別情報に基づいて取得する。
【００１５】
この請求項１の発明によれば、情報提供側装置と情報要求側装置とが近づくことにより、無線接続がなされ、識別情報等のやり取りが自動的に行なわれる。このとき、情報要求者や情報提供者は、相互に相手が誰であるかを意識することはない。そして、情報要求者は、サーバ装置にアクセスして、情報提供側装置に伝えた自己の識別情報を基にして、要求した情報を取得することができる。
【００１６】
また、請求項２の発明は、請求項１に記載の情報取得システムにおいて、
前記情報提供側装置は、
前記情報要求側装置からの前記情報取得要求を受け付けたときに、前記サーバ装置のネットワーク上のアドレス情報を前記第１の無線通信手段を通じて前記情報要求側装置に送る手段を備え、
前記情報要求側装置は、
前記情報取得要求に対応して前記情報提供側装置から送られてくる、前記サーバ装置のネットワーク上のアドレス情報を前記第２の無線通信手段を通じて受信して、前記情報取得要求に対応付けて前記第２の保持手段に保持すると共に、
前記第２の保持手段で保持された前記アドレス情報を用いて前記サーバ装置に接続し、前記サーバ装置に保持された前記情報提供側装置からアップロードされた情報を、前記第１の識別情報に基づいて、前記サーバ装置から取得する
ことを特徴とする。
【００１７】
この請求項２の発明においては、情報提供側装置は、情報要求側装置からの情報取得要求を受け付けた後に、自己の情報提供側装置からアップロードされる情報を管理するサーバ装置のネットワーク上のアドレス情報を情報要求側装置に送る。情報要求側装置は、この情報提供側装置からのサーバ装置のネットワーク上のアドレス情報を受信して保持する。
【００１８】
そして、情報要求側装置は、保持したアドレス情報を用いて前記サーバ装置に接続し、当該サーバ装置に保持されている情報提供側装置からアップロードされた情報を、第１の識別情報に基づいて取得する。
【００１９】
この請求項２の発明によれば、情報提供側装置から情報を取得するためのサーバ装置のアドレス情報が、当該情報提供側装置から提供されるので、それを保持手段に保持することにより、使用者は、予めサーバ装置のアドレス情報を設定入力したり、アクセス時に入力したりする必要はない。
【００２０】
請求項３の発明は、請求項１に記載の情報取得システムにおいて、
前記情報提供側装置は、所定の位置に設置された装置により構成されることを特徴とする。
【００２１】
情報提供側装置は、例えば観光名所やテーマパークなどに固定的に設置することができる。この場合には、サーバ装置は、当該固定的に設置された情報提供側装置に専用のサーバ装置とすることができる。
【００２２】
また、請求項４の発明は、請求項１に記載の情報取得システムにおいて、
前記情報提供側装置は、携帯機器であって、前記情報要求側装置に、当該携帯機器を特定するための第２の識別情報をも送ると共に、前記サーバ装置に、前記第２の識別情報をも前記情報取得要求された情報に関連させてアップロードし、
前記情報要求側装置は、前記第２の識別情報を受信して前記第２の保持手段に保持すると共に、前記第２の識別情報をも参照して、前記サーバ装置から前記情報を取得する
ことを特徴とする。
【００２３】
前記サーバ装置が、請求項３の場合のように、一つの情報提供側装置に対して専用であって、当該情報提供側装置からの情報のみを保持することが可能な場合には、他の装置からの情報と区別する必要がないが、サーバ装置が複数個の情報提供側装置からの情報を管理するようにする場合には、それぞれの情報が、どの情報提供側装置からアップロードされたものであるかを特定する必要がある。請求項４の発明は、この点を考慮したものである。
【００２４】
すなわち、請求項４の発明においては、情報提供側装置からは、サーバ装置のネットワーク上のアドレス情報に加えて、自己の情報提供側装置を識別するための第２の識別情報が情報要求側装置に送られる。
【００２５】
情報要求側装置は、この第２の識別情報を、サーバ装置のアドレス情報と共に保持する。そして、情報要求側装置は、この請求項２の場合には、情報提供側装置から受信して保持したアドレス情報を用いて前記サーバ装置に接続し、当該サーバ装置に保持されている第２の識別情報で特定される情報提供側装置からアップロードされた情報を、第１の識別情報および第２の識別情報に基づいて取得する。
【００２６】
請求項５の発明は、請求項１に記載の情報取得システムにおいて、
前記情報提供側装置の前記情報取り込み手段は撮像手段であり、前記情報取得要求の対象情報は、前記撮像手段で撮像された撮像画像情報である
ことを特徴とする。
【００２７】
この請求項５の発明によれば、情報要求側装置の使用者は、自分が居た場所および日時などの時間において、情報提供側装置の撮像手段により撮像された画像情報を、サーバ装置を介して取得することができる。この場合に、情報要求側装置には、撮像手段を設ける必要はない。つまり、情報要求側装置の使用者は、撮像手段がなくても、携帯型の情報要求側装置を持参するだけで、自分が体験している場所および日時などの時間における撮像画像を取得することが可能になる。
【００２８】
また、請求項６の発明は、請求項５に記載の情報取得システムにおいて、
前記第１の保持手段に保持される前記時間情報は、前記情報提供側装置と前記情報要求側装置との間で前記無線接続されている期間の始点と終点の時間情報であり、
前記情報提供側装置は、前記始点と終点の時間情報で示される期間の撮像画像情報を、前記サーバ装置にアップロードする
ことを特徴とする。
【００２９】
この請求項６の発明によれば、情報提供側装置と情報要求側装置との間で無線接続されている間、つまり、情報提供側装置と情報要求側装置とが接近している期間における撮像画像情報がサーバ装置にアップロードされて、情報要求側装置が、この撮像画像情報を取得することができる。したがって、情報要求側装置の使用者は、自分が居る場所の近傍において、固定的に設置された、あるいは他人が所持する情報提供側装置の撮像手段により撮像された画像情報を、取得することができる。この場合に、情報提供側装置と情報要求側装置とが接近しているので、撮像画像情報には、情報要求側装置の使用者自身が写っている可能性も高い。
【００３０】
また、請求項７の発明は、請求項５に記載の情報取得システムにおいて、
前記情報提供側装置と前記情報要求側装置との間で前記無線接続されている期間の始点と終点の時間情報が、前記時間情報として前記第１の保持手段および第２の保持手段にそれぞれ保持され、
前記情報提供側装置は、前記始点と終点の時間情報で示される期間の撮像画像情報を、前記時間情報と共に前記サーバ装置にアップロードし、
前記情報要求側装置は、前記第１の識別情報と前記時間情報とに基づいて、前記サーバ装置に前記情報提供側装置からアップロードされた情報を、前記サーバ装置から取得する
ことを特徴とする。
【００３１】
同じ場所において、情報提供側装置と、情報要求側装置とが１度しか無線接続しなかったときには、請求項６の発明の場合のように、情報要求側装置が、情報提供側装置と無線接続していた時間の情報を保持していなくても、情報要求側装置は、情報提供側装置と無線接続していたときに情報格納手段に格納された撮像情報を取得することができる。
【００３２】
しかし、情報提供側装置と、情報要求側装置とが、同じ場所において、接近、離間を複数回繰り返すことにより、複数回、無線接続されるような場合には、どの無線接続期間に、どの撮像画像情報が対応するかが不明となる。請求項７の発明は、このような場合に対処できるようにした発明である。
【００３３】
すなわち、請求項７の発明においては、情報要求側装置においても、情報提供側装置と無線接続している期間の時間情報を保持する。そして、情報提供側装置は、撮像画像情報を、無線接続していた期間の時間情報と共に、サーバ装置にアップロードする。情報要求側装置は、無線接続していた期間の時間情報にも基づいてサーバ装置から撮像画像情報を取得する。以上のように、この請求項７の発明によれば、無線接続していた期間の時間情報により、当該期間の撮像画像情報が対応付けられるので、同じ場所において、無線接続が複数回なされたとしても、各無線接続の回毎の撮像画像情報を容易に区別することが可能である。
【００３４】
また、請求項８の発明は、請求項５に記載の情報取得システムにおいて、
前記情報提供側装置は、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データと、その他の撮像画像データとを区別する情報を前記撮像画像データに付加する手段と、
を備えることを特徴とする。
【００３５】
この請求項８の発明においては、情報提供側装置の撮像可能性判断手段は、撮像手段により、情報要求側装置の使用者を撮像可能かどうか判断し、撮像可能であると判断したときには、そのときに撮像手段により撮像して情報格納手段に格納する画像データに、その他の撮像画像データと区別する情報を付加するようにする。したがって、情報要求側装置の使用者は、当該付加された情報に基づいて、自分が写っている撮像画像情報のみを集めるようにすることができる。
【００３６】
また、請求項９の発明は、請求項５に記載の情報取得システムにおいて、
前記情報提供側装置および前記情報要求側装置との間で無線接続されたときに、相互に情報提供および情報要求の方針、条件などに関するポリシー情報を交換し、齟齬がないと判別したときに、前記情報提供側装置は、前記情報要求側装置から情報取得要求を受け付ける
ことを特徴とする。
【００３７】
この請求項９の発明においては、情報提供側装置には、例えば、撮像画像情報を情報提供する／情報提供しない、相手の写っている撮像画像のみを提供する／その他の撮像画像も提供する、などの情報提供側の方針や条件などに関するポリシー情報が用意され、また、情報要求側装置には、例えば、撮像画像情報の取得要求する／取得要求しない、自分が写っている撮像画像のみを要求／それ以外も要求などの方針や条件などに関するポリシー情報が用意される。
【００３８】
そして、この請求項９の発明においては、情報提供側装置および情報要求側装置との間で無線接続されたときには、相互にポリシー情報を交換し、撮像画像情報の提供意思と要求意思とが合致したとき、また、条件が合致など、齟齬がないかどうか判別するようにする。情報提供側装置は、齟齬はないと判別したときに、情報要求側装置からの情報取得要求を受け付けるようにする。
【００３９】
したがって、この請求項９の発明によれば、情報提供を拒否したい場合、情報要求の必要がない場合等、情報提供側装置の使用者の提供意思や条件および／または情報要求側装置の使用者情報要求意思や条件を尊重した撮像画像情報の取得システムの構築ができる。
【００４０】
また、請求項１０の発明は、請求項９に記載の情報取得システムにおいて、
前記情報提供側装置および／または前記情報要求側装置は、前記ポリシー情報を変更する操作部を備える
ことを特徴とする。
【００４１】
この請求項１０の発明によれば、操作部により、情報提供側装置の使用者の提供意思や条件および／または情報要求側装置の使用者情報要求意思や条件を、容易に変更することができる。
【００４２】
また、請求項１１の発明は、請求項５に記載の情報取得システムにおいて、
前記情報要求側装置は、前記情報提供側装置と無線接続されているときに、情報取得要求していることを報知する手段を備える
ことを特徴とする。
【００４３】
この請求項１１の発明においては、情報要求側装置は、例えばＬＥＤ（Ｌｉｇｈｔ  Ｅｍｉｔｔｉｎｇ  Ｄｉｏｄｅ；発光ダイオード）などからなる報知手段を用いて、情報取得要求していることを外部の者に報知するようにする。これにより、近くに居る情報提供者に、撮影希望を伝達することができ、当該情報提供者に意図的に撮像協力を要請することが可能になる。
【００４４】
また、請求項１２の発明は、請求項５に記載の情報取得システムにおいて、
前記情報提供側装置は、前記情報要求側装置から前記情報取得要求を受信していることを報知する手段を備える
ことを特徴とする。
【００４５】
この請求項１２の発明においては、情報提供側装置では、情報要求側装置と無線接続されて、情報取得要求を受信すると、その旨が例えばＬＥＤやディスプレイ表示により報知される。したがって、請求項１２の発明によれば、情報提供側装置の使用者は、情報要求側装置から撮像画像情報の取得要求がされていることを知って、その要求に沿うようにするなど、協力することができるようになる。
【００４６】
また、請求項１３の発明は、請求項８に記載の情報取得システムにおいて、
前記情報提供側装置は、前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする。
【００４７】
この請求項１３の発明においては、情報提供側装置では、情報要求側装置と無線接続されて、情報取得要求を受信しているときに、情報要求側装置の使用者が居る方向に撮像手段を向けたときに、情報取得要求している前記情報要求側装置が存在することが、ＬＥＤやディスプレイ表示により、情報提供側装置の使用者に報知される。これにより、情報提供側が、情報要求側の要求側に沿うようにするなどの協力が容易になる。
【発明の効果】
【００４８】
この発明によれば、情報要求側装置の使用者は、自分が居た場所および日時などの時間と同じ場所および時間に居た他人が所持していた情報提供側装置や、当該場所に設置されていたが情報提供側装置から、自分が居た場所および日時などの時間において取り込まれた情報を取得することができる。
【００４９】
したがって、情報取り込み手段が撮像手段であって、情報が撮像画像情報である場合には、自分以外の視点で撮像された画像情報が得られると共に、自分が写っている画像を取得することも可能である。
【００５０】
この場合に、情報提供側装置と情報要求側装置とが近づくことにより、無線接続がなされ、識別情報やサーバ装置のアドレス情報のやり取りが自動的に行なわれ、その際にやり取りされた情報を基に、情報の取得が可能になるので、情報要求者や情報提供者は、相互に相手が誰であるかを意識することはない。
【発明を実施するための最良の形態】
【００５１】
以下、この発明による情報取得システムおよび情報取得方法並びに情報要求・提供装置、情報提供側装置、情報要求側装置の実施形態を、図を参照しながら説明する。
【００５２】
［第１の実施形態］
以下に説明する第１の実施形態は、情報提供側装置の機能と情報要求側装置の機能とが、一つの携帯機器に搭載されている情報要求・提供装置の場合である。そして、この第１の実施形態では、取得要求される対象の情報は、撮像情報（動画像および／または静止画像）である場合であって、情報要求・提供装置は、撮像記録装置として構成されている。
【００５３】
＜撮像記録装置（情報要求・提供装置）のハードウエア構成例＞
図１は、この第１の実施形態における情報要求・提供装置の例としての撮像記録装置１のブロック図である。
【００５４】
この撮像記録装置１は、ＣＰＵ（Ｃｅｎｔｒａｌ  Ｐｒｏｃｅｓｓｉｎｇ  Ｕｎｉｔ）１０１に対して、システムバス１０２を介して、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４とが接続されたコンピュータを備える構成となっている。
【００５５】
そして、システムバス１０２に対して、撮像部コントローラ１０５と、撮像信号処理部１０６と、位置、方位検出処理部１０７と、撮影要求者撮影判別部１０８と、データ格納部コントローラ１０９と、再生処理部１１０と、計時部１１１と、表示部コントローラ１１２と、無線通信部コントローラ１１３と、キー入力インターフェース（図ではインターフェースはＩ／Ｆと記載する。以下同じ）１１４と、ネットワークインターフェース１１５と、撮影要求報知部１１６とが接続されている。
【００５６】
撮像部コントローラ１０５は、ＲＯＭ１０３に格納されているプログラムにしたがったＣＰＵ１０１からの制御に基づいて、撮像部コントロール信号を撮像部１２１に供給する。
【００５７】
撮像部１２１は、レンズ系と、例えばＣＣＤ（Ｃｈａｒｇｅ  Ｃｏｕｐｌｅｄ  Ｄｅｖｉｃｅ）で構成される撮像素子とを備え、撮像部コントローラ１０５からの撮像部コントロール信号を受けて、動画像の撮像記録の開始、停止、ズーム倍率、露出値、オートフォーカスなどの制御がなされる。なお、撮像部１２１は、シャッター機構を備えて、静止画像をも記録することができるように構成することもできる。
【００５８】
撮像部１２１からの撮像画像信号は、Ａ／Ｄ（Ａｎａｌｏｇ  ｔｏ  Ｄｉｇｉｔａｌ）変換器１２２によりデジタル信号に変換された後、撮像信号処理部１０６に供給される。撮像信号処理部１０６では、ＲＯＭ１０３に記憶されているプログラムに従ったＣＰＵ１０１からの制御指示命令により処理が実行されて、Ａ／Ｄ変換器１２２からの撮像画像信号が、例えばＭＰＥＧ（Ｍｏｖｉｎｇ  Ｐｉｃｔｕｒｅ  Ｅｘｐｅｒｔｓ  Ｇｒｏｕｐ）方式により画像データ圧縮され、また、静止画像の場合には、例えばＪＰＥＧ（Ｊｏｉｎｔ  Ｐｈｏｔｏｇｒａｐｈｉｃ  Ｅｘｐｅｒｔｓ  Ｇｒｏｕｐ）方式により画像データ圧縮されると共に、適切な記録フォーマットに変換される。また、この例では、撮像信号処理部１０６では、計時部１１１からの時刻情報が用いられて、撮像画像データに撮像時刻の情報が付加される処理も行なわれる。
【００５９】
また、後述するように、撮影要求者撮影判別部１０８においては、撮像情報の取得要求をしてきた相手方の撮像記録装置１の使用者が、当該撮像記録装置１の撮像部１２１により撮像されている可能性があるか否かを判断して、その判断結果をシステムバス１０２に出力するが、撮像信号処理部１０６では、前記判断結果が、撮像されている可能性有りのときには、要求者撮影可能フラグを、その撮影可能性があると判断されている期間、撮像データに付加するようにする処理も行なう。
【００６０】
そして、撮像信号処理部１０６で適切な記録フォーマットに変換された、撮像時刻の情報や要求者撮影可能フラグを含む撮像画像データは、システムバス１０２を通じてデータ格納部コントローラ１０９に転送される。データ格納部コントローラ１０９は、受け取った撮像画像データを、データ格納部１２３に格納する。
【００６１】
データ格納部１２３は、この例では、ハードディスクドライブで構成され、例えば１日分以上の撮像データを格納する記憶容量を備えるものである。なお、データ格納部１２３は、ＤＶＤ（Ｄｉｇｉｔａｌ  Ｖｅｒｓａｔｉｌｅ  Ｄｉｓｃ）などの大容量記録形光ディスクや、半導体メモリなどを記憶媒体に用いる装置を用いるようにしても良い。
【００６２】
位置・方位検出処理部１０７は、撮像記録装置１の位置および方位を検出する。この場合に、この例では、検出する撮像記録装置１の方位は、撮像部１２１の光学系の光軸の方位とされている。つまり、位置・方位検出処理部１０７は、撮像部１２１の撮像方向が、どの方位であるかを検出するように構成されている。
【００６３】
この例においては、位置・方位検出処理部１０７には、撮像記録装置１の位置を検出するためのＧＰＳ（Ｇｌｏｂａｌ  Ｐｏｓｉｔｉｏｎｉｎｇ  Ｓｙｓｔｅｍ）受信機１２４と、撮像記録装置１の方位を検出するための電子コンパス１２５が接続されている。ＧＰＳ受信機１２４には、ジャイロが含まれていても良い。なお、電子コンパス１２５により検出される方位が直接的に撮像部１２１の光学系の光軸の方位を検出するのではなく、電子コンパス１２５により検出される方位と、撮像部１２１の光学系の光軸の方位とのオフセットを予め測定しておき、位置・方位検出処理部１０７で、電子コンパス１２５で検出された方位から、撮像部１２１の光学系の光軸の方位を検出するようにしてもよい。
【００６４】
位置・方位検出処理部１０７は、一定時間毎に、撮像記録装置１の存在位置および前記撮像方位を計測し、その計測結果をシステムバス１０２に送出する。ＣＰＵ１０１は、この計測結果の位置情報および方位情報を、ＲＯＭ１０３のプログラムにしたがってＲＡＭ１０４をワークエリアとして用いて、計時部１１１からの時間情報に関連付けた状態で、適切な記録フォーマットに変換し、データ格納部コントローラ１０９を通じてデータ格納部１２３に格納する。これにより、撮像記録装置１が、ある時間には、どの場所に在って、撮像部１２１がどの方向を撮像方向としているかを検知することができる。
【００６５】
なお、撮像記録装置１の位置情報および各位置情報に対応する時間情報は、撮像記録装置１が何時何処に居たかの証明になるので、簡単に改ざんされないように、暗号化されてデータ格納部１２３に格納するようにしても良い。
【００６６】
なお、位置・方位検出処理部１０７で検出された撮像記録装置１の位置情報および方位情報は、後述するように、撮影要求者撮影判別部１０８にも転送されて、撮影要求者の撮影可能性の判断にも使用される。
【００６７】
撮影要求者撮影判別部１０８は、他の撮像記録装置１と無線接続されていて、撮像情報の取得要求を当該他の撮像記録装置から受けているときに、当該他の撮像記録装置の使用者を、自己の撮像記録装置１の撮像部１２１で撮像可能かどうかを判別する。
【００６８】
後で詳述するように、この例では、撮影要求者撮影判別部１０８は、撮影要求者の撮像記録装置１から取得した当該撮像記録装置１の位置情報と、自己の撮像記録装置１の位置情報とから、撮影要求者が、自己の撮像記録装置１に対してどの方向にいるかを判別し、その方向と、位置・方位検出処理部１０７で検出された方位から検出された撮像部１２１の撮像方向ととから、撮影要求者が、自己の撮像記録装置１の撮像部１２１で撮影できる可能性があるかどうかを判別する。
【００６９】
再生処理部１１０は、再生時に、データ格納部１２３からデータ格納部コントローラ１０９を通じて読み出された圧縮画像データの伸張デコード処理等を行って再生用の画像データを形成するものである。再生処理部１１０において処理された画像データは、表示部コントローラ１１２に送られ、表示部１２６の画面に、撮像画像が表示される。
【００７０】
なお、図１では、説明の簡単のため省略したが、撮像部１２１には、撮像中の周辺の音声を収音するマイクロホンが設けられている。そして、このマイクロホンからの音声信号がデジタル信号に変換され、所定の圧縮などを付与されて、適切な記録フォーマットに変換された後、対応する画像データおよび時間情報と対応付けられて、データ格納部１２３に格納される。そして、再生処理部１１０は、その音声データをも再生デコードする機能も有する。そして、再生デコードされた音声信号は、図示を省略したＤ／Ａ変換器によりアナログ音声信号に戻され、スピーカにより音響再生されるようにされている。
【００７１】
表示部コントローラ１１２は、表示部１２６に供給する表示用画像信号を形成し、これを表示部１２６に供給する。表示部１２６は、ＬＣＤ（Ｌｉｑｕｉｄ Ｃｒｙｓｔａｌ Ｄｉｓｐｌａｙ）などのディスプレイであり、表示部コントローラ１１２からの画像信号に応じた画像をその表示画面に表示する。
【００７２】
無線通信部コントローラ１１３は、これに接続される無線通信部１２７に対する通信データの送受を行なう。無線通信部１２７は、この例では、近距離無線通信が可能なもの、例えばＢｌｕｅｔｏｏｔｈ規格の電波による無線通信手段が用いられる。したがって、他の撮像記録装置１が接近して、両者の距離が、無線通信部１２７の通信可能距離範囲内になると、当該他の撮像記録装置１と自動的に無線接続されて、無線通信が可能となる。
【００７３】
なお、無線通信部１２７としては、この例のような電波を用いるものに限定されるものではなく、赤外線や光を用いたものであってもよい。
【００７４】
キー入力インターフェース１１４には、キー入力操作部１２８が接続される。キー入力操作部１２８は、撮像記録開始キー、再生開始キー、早送りキー、巻戻しキー、ジャンプキー、停止キー、カーソル移動キーなどのキーの他に、後述するポリシー変更キーを備える。キー入力操作部１２８のいずれかのキーが操作されると、キー入力インターフェース１１４を通じてその操作入力情報がシステムバス１０２に供給される。ＣＰＵ１０１は、この操作入力情報を判別して、どのキーが操作されたかを判別し、その操作されたキーに対応する処理を実行する。
【００７５】
この実施形態においては、撮像記録装置１には、情報提供意思や情報提供条件、また、情報要求意思や情報要求条件などに関するポリシー情報が、キー入力操作部１２８が用いられて、使用者により設定される。
【００７６】
設定されるポリシー情報としては、次のようなものが挙げられる。  
（Ａ）他の撮像記録装置との無線接続に関し、自動接続するか、あるいは手動接続するか。なお、手動接続が設定された場合には、通常は無線接続しないと設定される。
【００７７】
（Ｂ）他の撮像記録装置と自動で無線接続すると設定した場合に、
（Ｂ−１）撮像情報の取得要求をするかどうか
撮像情報取得要求する場合には、自分の写っている撮像画像のみを要求するか、あるいはそれ以外も含んで要求するか
（Ｂ−２）撮像情報の提供をするかどうか
（Ｂ−３）撮像時の音声情報の提供をするかどうか。
【００７８】
（Ｃ）ネットワークに接続時に関し、
（Ｃ−１）要求のあった撮像情報の送信を、自動で行なうか、あるいは手動で行なうか。なお、手動の設定された場合には、送信する撮像情報のチェックを行なうことができる。
【００７９】
（Ｃ−２）要求のない撮像情報の送信を、自動で行なうか、あるいは手動で行なうか。なお、手動の設定された場合には、送信する撮像情報のチェックを行なうことができる。
【００８０】
（Ｄ）ネットワークに接続した後の撮像情報等の配信ポリシーに関し、
（Ｄ−１）撮像情報を交換するのであれば撮像情報の配信を可とする
（Ｄ−２）撮像情報の提供だけでも撮像情報の配信を可とする
（Ｄ−３）同一の場所で、無線接続した撮像記録装置であって、ポリシー情報の交換をして、条件が合致した撮像記録装置に対してのみ撮像情報の配信を可とする
（Ｄ−４）同一の場所かつ同一時刻に存在した撮像記録装置に対してのみ撮像情報の配信を可とする
（Ｄ−５）オープン（自由に撮像情報の配信を可とする）
（Ｄ−６）撮像情報のみ、あるいは音声情報を含んで配信可とする。
【００８１】
前述したキー操作入力部１２８に設けられたポリシー変更キーは、設定された上述のポリシー情報に関係なく、情報提供する／情報提供しない、また、撮像情報取得要求する／要求しない、を瞬時に変更することができるキーである。
【００８２】
ネットワークインターフェース１１５は、インターネットなどのブロードバンドネットワークに撮像記録装置１を接続するためのものである。後述するように、ブロードバンドネットワークには、当該撮像記録装置１からの撮像情報や音声情報のアップロードを受け付け、配信管理するサーバ装置が接続されている。前述したポリシー情報の設定項目の（Ｃ）ネットワーク接続時および（Ｄ）ネットワークに接続した後の撮像情報の配信ポリシー、におけるネットワーク接続は、前記サーバ装置に対する接続を意味している。
【００８３】
撮像要求報知部１１６は、当該撮像記録装置１が、他の撮像記録装置１と無線接続されていて、かつ、当該撮像記録装置１から前記他の撮像記録装置１に撮像情報の取得要求をしているときに、当該撮像記録装置１が撮像情報の取得要求を他の撮像記録装置１の使用者等に報知するためのものである。この撮像要求報知部１１６は、例えば撮像記録装置１の外部筐体の、他人からも見える位置に設けられたＬＥＤと、当該ＬＥＤを点滅表示させるＬＥＤ駆動手段とにより構成することができる。また、撮像要求していることを、所定の電子音などの音により報知する手段を用いても良い。
【００８４】
なお、図１では省略したが、撮像部１２１にマイクロホンが取り付けられており、撮像時に、被写体周辺の音声がこのマイクロホンにより収音され、Ａ／Ｄ変換され、また必要に応じてデータ圧縮されて、撮像画像データと共にデータ格納部１２３に格納されて、記録される。
【００８５】
また、上述の説明では、撮像部１２１により取得した被写体の撮像画像データや音声データは、すべてデータ格納部１２３に記憶して格納するものとして説明したが、これに限るものではない。
【００８６】
例えば、ネットワークインターフェース１１５を通じてインターネットなどのネットワークに接続し、ネットワーク上に設けられた所定のサーバ装置に送信して、そのサーバ装置に、撮像画像データや生体情報、感情状態を示す情報を記憶保持させるようにするようにすることも可能である。
【００８７】
＜撮影要求者撮影判別部１０８の説明＞
前述したように、この実施形態においては、撮影要求者撮影判別部１０８は、ＧＰＳ受信機１２４を用いて測定された位置情報と、無線接続中の撮像画像情報の取得要求を送ってきている他の撮像記録装置１から取得した当該他の撮像記録装置の位置情報と、電子コンパス１２５により検出された自己の撮像記録装置１の方位情報とから、自己の撮像記録装置１の撮像部１２１により、当該他の撮像記録装置の使用者が、撮影可能となっているかどうかを判別する。この判別方法について、以下にさらに説明する。
【００８８】
２台の撮像記録装置のそれぞれの位置がわかると、一方の撮像記録装置に対する他方の撮像記録装置の方向は検出することができる。そして、電子コンパス１２５により、撮像要求されている方の撮像記録装置１の撮像部１２１の撮像方向と、当該撮像部１２１の撮影可能な画角が判れば、撮像要求している方の撮像記録装置の使用者が、その画角内の方向に居るか否かにより、当該自己の撮像記録装置１により撮影可能であるかどうかを判別することができる。
【００８９】
例えば、図２に示すように、撮影者Ｍが所持する撮像記録装置１Ｍの撮像部１２１の画角がθであって、当該撮像部１２１の光学系の光軸方向が矢印の方向Ｌ０（撮像方向）であった場合を考える。
【００９０】
撮像記録装置１Ｍに対して撮像要求をしている、撮像記録装置１Ａ、１Ｂを所持する撮影要求者Ａ、Ｂの位置が、図２の位置であれば、撮像記録装置１Ａ、１Ｂの位置情報がわかれば、撮像記録装置１Ｍでは、撮像記録装置１Ｍに対する撮像記録装置１Ａ、１Ｂの方向Ｌ１、Ｌ２が検出できる。したがって、接続像記録装置１Ｍは、その検出した方向Ｌ１、Ｌ２が、撮像部１２１の撮像方向Ｌ０を中心とした画角θの範囲にあるか否かにより、撮影要求者が撮像部１２１で撮像可能であるか否かを判別することができる。
【００９１】
ちなみに、図２の例においては、撮影要求者Ａは、撮影される可能性があるが、撮影要求者Ｂは、撮影される可能性はない。なお、図２の例においては、撮像記録装置１Ｃを所持する使用者Ｃの方向は、撮像部１２１の撮像方向Ｌ０を中心とした画角θの範囲にあるが、当該撮像記録装置１Ｃは、撮像記録装置１Ｍとは無線接続することができない距離だけ離れた位置にあるので、撮像記録装置１Ｍでは、使用者Ｃを撮影要求者として撮影可能性の判断をする対象とはならない。
【００９２】
ところで、２台の撮像記録装置の間の距離が大きい場合には、一方の撮像記録装置に対して他方の撮像記録装置の方向の検出において、それぞれの撮像記録装置の検出位置精度は、低くてよい。しかしながら、この例においては、無線接続されている２台の撮像記録装置は、接近した状態であり、それぞれの撮像記録装置においては、精度の高い位置測定が必要になる。
【００９３】
一方、単独のＧＰＳ受信機１２４の位置精度は、限られた精度となっている。このため、単純には、ＧＰＳ受信機１２４の位置情報のみを用いて、撮影要求者の撮影可能性を判別したのでは、誤検出が多くなってしまうおそれがある。このことにかんがみ、この実施形態では、以下のようにして、撮影要求者の撮影可能性の判別精度を上げるようにしている。
【００９４】
２台のＧＰＳ受信機において、測位に使用している複数個の人工衛星が同じものである場合には、その位置測定の結果として検出された位置情報は、２台のＧＰＳ受信機の相対位置に関しては、ＤＧＰＳ（Ｄｉｆｆｅｒｅｎｃｉａｌ  ＧＰＳ）方式における位置測定と同様に、非常に精度の良いものとすることができる。
【００９５】
そこで、この実施形態では、無線通信の相手である他の撮像記録装置１から測位に使用している複数個のＧＰＳ衛星の情報を受け取り、自己の撮像記録装置１で測位に使用している複数個のＧＰＳ衛星と比較し、同じ複数個のＧＰＳ衛星を使用していると判別したときには、撮影要求者の撮影可能性の判別を行い、また、同じではないと判別したときには、撮影要求者の撮影可能性の判別は不可であるとする。これにより、この実施形態では、撮影要求者の撮影可能性の判別精度を上げられる。
【００９６】
＜第１の実施形態における情報取得処理動作の概要＞
図３〜図５を参照しながら、この実施形態による撮像記録装置１を用いた情報取得処理動作の概要を説明する。
【００９７】
図３に示すように、上述の構成を備える撮像記録装置１をそれぞれ所持する使用者２ａ，２ｂ，２ｃが互いに近づいた場合、それぞれの撮像記録装置１（使用者２ａ，２ｂ，２ｃが所持する撮像記録装置１を、以下、撮像記録装置１ａ，１ｂ，１ｃとする）は、ポリシー情報が「自動で無線接続する」状態に設定されている場合には、互いに自動的に無線接続する状態になる。
【００９８】
そして、撮像記録装置１ａと１ｂとの間、撮像記録装置１ａと１ｃとの間、および撮像記録装置１ｂと１ｃとの間、のそれぞれ間において、ポリシー情報の交換を行い、情報提供側と情報要求側のポリシー情報に齟齬がなければ、情報提供のための処理および情報要求のための処理を行なう。
【００９９】
情報提供のための処理としては、無線接続されている、撮像情報の取得要求をしている相手の撮像記録装置の識別情報ＩＤｙ（ＩＤ；Ｉｄｅｎｔｉｆｉｃａｔｉｏｎ）を受け取り、当該無線接続時の時間情報と共に、例えばデータ格納部１２３に格納される送信リストに書き込むようにする。送信リストには、また、必要に応じて、相手撮像記録装置から取得したポリシー情報の一部も格納する。
【０１００】
また、情報要求のための処理としては、無線接続されている相手の撮像記録装置に対して、撮像情報の取得要求をしている自己の撮像記録装置の識別情報ＩＤｍを送ると共に、無線接続されている情報提供を行なう相手の撮像記録装置の識別情報ＩＤｙを、当該無線接続時の時間情報と共に、例えばデータ格納部１２３に格納されるリクエストリストに書き込むようにする。リクエストリストには、また、必要に応じて、相手撮像記録装置から取得したポリシー情報の一部も格納する。
【０１０１】
このとき、各撮像記録装置は、例えば時分割処理により複数の相手撮像記録装置と無線接続して、ポリシー情報や識別情報、その他の必要な情報、例えば後述のセッション情報（セッション識別情報等）のやり取りをすることができる。やり取りする情報は、例えばパケットデータが用いられ、各パケットデータには、送信側を示す発信元情報と、相手側を示す宛先情報とが含まれ、それらの情報により、パケットの区別がなされる。
【０１０２】
また、この無線接続時に、相手撮像記録装置からの撮像情報取得要求のポリシー情報に、自分が写っている撮像画像のみを要求するという限定がなされているときには、当該要求を受け取った撮像記録装置１では、前述したような撮影要求者の撮影可能性の判別を行い、撮影可能性があると判別したときには、前述したように、要求者撮影可能フラグを付加した撮像画像データをデータ格納部１２３に格納するようにする。
【０１０３】
以上のようにして、他の撮像記録装置との無線通信を行って、送信リスト、リクエストリストを作成した撮像記録装置の使用者は、後の時点において、図４に示すように、自分の撮像記録装置をネットワーク４に接続する。
【０１０４】
図４に示すように、この実施形態では、ネットワーク４には、撮像記録装置からの撮像情報についての配信サービスを管理するサービスサーバ装置３Ａ，３Ｂ・・・が接続されている。
【０１０５】
サービスサーバ装置は、すべての撮像記録装置１に共通の１個のサービスサーバ装置としてもよい。しかし、それでは、サーバ装置が、多数の撮像記録装置１からの撮像情報のアップロードの受け付け、当該撮像情報のダウンロードを実行しなければならないので、負荷が非常に重くなると共に、撮像情報の格納エリアも膨大なものとなってしまうおそれがある。
【０１０６】
そこで、この実施形態では、各撮像記録装置１は、それぞれ異なるサービスサーバ装置に、自己の撮像記録装置１の撮像データおよび音声データについての配信サービスを含む管理を依頼することができるようにしている。図４の例では、撮像記録装置１ａおよび撮像記録装置１ｃの撮像データおよび音声データの配信サービス等は、サービスサーバ装置３Ａにより管理され、また、撮像記録装置１ｂおよび撮像記録装置１ｄの撮像データおよび音声データの配信サービス等は、サービスサーバ装置３Ｂにより管理されるものとしている。
【０１０７】
各撮像記録装置１は、ネットワークに接続されると、送信リストが存在する場合であって、ネットワーク接続時についてのポリシー情報が自動接続の場合には、その送信リストに基づいて、対応する撮像情報や音声情報と、自己の撮像記録装置の識別情報ＩＤｍと、情報要求側の撮像記録装置の識別情報ＩＤｙとを、情報要求側装置と情報提供側装置とが無線接続されていた時間情報と共に、また、送信すべきポリシー情報がある場合にはそれも伴って、自分の撮像記録装置からの撮像情報についての配信サービス等を管理するサービスサーバ装置にアップロードする。
【０１０８】
また、各撮像記録装置１は、ネットワークに接続されると、リクエストリストが存在する場合であって、ネットワーク接続時についてのポリシー情報が自動接続の場合には、そのリクエストリストに記録されている情報提供側の撮像記録装置のサービスサーバ装置のアドレス情報を用いて、ネットワーク４を通じて当該サーバ装置に接続し、情報提供側の撮像記録装置の識別情報（以下、情報提供側の撮像記録装置の識別情報を識別情報ＩＤｇとする）および情報要求側装置である自己の撮像記録装置の識別情報（以下、情報要求側の撮像記録装置の識別情報をＩＤｒとする）と、情報要求側装置と情報提供側装置とが無線接続されていた時間情報とを、送信すべきポリシー情報がある場合にはそれも伴って、前記サーバ装置に送って、データの受信要求を行なう。
【０１０９】
データの受信要求を受けた前記サービスサーバ装置は、データ受信要求と共に受信した識別情報ＩＤｇおよびＩＤｒおよび前記時間情報により、当該サービスサーバ装置に保持されている識別情報ＩＤｇの撮像記録装置の撮像情報および音声情報から、前記時間情報に対応する情報を検索する。そして、前記ポリシー情報に基づいて、配信対象とすることができる撮像情報や音声情報を、データ受信要求してきた撮像記録装置にダウンロードする。
【０１１０】
例えば、撮像記録装置１ａと撮像記録装置１ｂとが無線接続されていたときに、撮像記録装置１ｂが撮像記録装置１ａに撮像情報の取得要求をしていた場合には、撮像記録装置１ａは、図５に示すように、その送信リストに基づいて、対応する撮像情報や音声情報を、識別情報ＩＤｒ、ＩＤｇおよび前記時間情報などと共に、ネットワーク４を通じてサービスサーバ装置３Ａにアップロードする。
【０１１１】
一方、撮像記録装置１ｂは、図５に示すように、そのリクエストリストに基づいて、サービスサーバ装置３Ａにネットワーク４を通じて接続し、対応する撮像情報や音声情報についてのデータ受信要求（識別情報ＩＤｒ、ＩＤｇおよび前記時間情報などの情報を含む）を、当該サーバ装置３Ａに送る。すると、サービスサーバ装置３Ａは、識別情報ＩＤｒおよびＩＤｇおよび前記時間情報を用いて、配信すべきデータを検索し、データ受信要求してきた撮像記録装置１ｂに、検索結果の撮像情報や音声情報をダウンロードする。
【０１１２】
なお、前記ネットワーク接続時のポリシー情報が手動接続であった場合には、ネットワークを接続しただけでは、上述の動作は行なわれず、使用者による撮像情報等の提供、要求の操作入力が行なわれることにより、前記の送信リストやリクエストリストに基づいたサーバ装置へのアクセスが実行され、上述のような処理動作が行なわれる。
【０１１３】
また、サーバ装置は、情報提供側装置の使用者に、情報提供に対する報酬を還元し、情報要求者に情報取得に対する課金を施すようにしてもよい。
【０１１４】
次に、撮像記録装置１およびサービスサーバ装置のそれぞれにおける、上述の処理動作をフローチャートを参照しながら、さらに詳細に説明する。
【０１１５】
＜撮像記録装置同士の無線接続時の処理動作＞
図６〜図８は、撮像記録装置１が、他の撮像記録装置と無線接続する場合の処理動作を説明するためのフローチャートである。なお、この例は、他の撮像記録装置との無線接続に関するポリシー情報が、自動接続すると設定されている場合である。この図６〜図８における各ステップの処理は、ＣＰＵ１０１がＲＯＭ１０３のプログラムにしたがって、ＲＡＭ１０４をワークエリアとして用いて実行する。
【０１１６】
図６に示すように、ＣＰＵ１０１は、他の撮像記録装置の接近および無線接続を監視し（ステップＳ１）、無線接続がなされたか否か判別し（ステップＳ２）、無線接続がなされていなければ、ステップＳ１に戻って、前記監視を続ける。
【０１１７】
ステップＳ２で、他の撮像記録装置と無線接続されたと判別したときには、ＣＰＵ１０１は、当該他の撮像記録装置とポリシー情報の交換を行う（ステップＳ３）。そして、互いのポリシー情報の齟齬が生じていないかどうか、また、ポリシー情報で定められる条件に齟齬が生じていないかどうか判別する（ステップＳ４）。例えば、自己の撮像記録装置は、「情報要求する」としているのに対して、他の撮像記録装置は「情報提供しない」とされていないかどうか、あるいは、逆に自己の撮像記録装置は、「情報要求しない」としているのに対して、他の撮像記録装置は「情報提供する」とされていないかどうか、などを判別する。
【０１１８】
ステップＳ４で、ポリシー情報に齟齬があったと判別したときには、ＣＰＵ１０１は、表示部コントローラ１１２を介して表示部１２６に、齟齬を生じている相手のポリシーを表示する（ステップＳ５）。これは、例えば、自己の撮像記録装置は、「情報要求しない」としているのに対して、他の撮像記録装置は「情報提供する」とされているときに、キー入力操作部１２８に含まれているポリシー変更キーにより、「情報要求する」に変更することができるようにするためである。
【０１１９】
次に、ステップＳ５における相手ポリシーの表示に対応して、その表示から一定時間以内に、ポリシー変更キーが操作されたか否か判別する（ステップＳ６）。前記一定時間以内にはポリシー変更キーが操作されなかったと判別したときには、ステップＳ１に戻る。また、ステップＳ６で、前記一定時間以内にポリシー変更キーが操作されたと判別されたときには、ＣＰＵ１０１は、ステップＳ４に戻り、ポリシー情報により情報提供、情報要求との間で齟齬がなく条件成立したかどうか判別する。
【０１２０】
ステップＳ４で、無線接続している他の撮像記録装置との間で、ポリシー情報により情報提供、情報要求との間で齟齬がなく条件成立したと判別したときには、ＣＰＵ１０１は、自己の撮像記録装置は撮像画像の要求をすると設定されているか否か判別する（ステップＳ７）。
【０１２１】
ステップＳ７で、自己の撮像記録装置は撮像画像の要求をすると設定されていると判別したときには、ＣＰＵ１０１は、撮像要求報知部１１６により、自己の撮像記録装置の使用者が撮影してもらいたいという要求をしていることを、他の撮像記録装置の使用者が識別することができるように報知する。例えば、前述したように、撮像記録装置１の筐体の外側に設けられたＬＥＤを点灯あるいは点滅させて、被撮影要求をしていることを報知する（ステップＳ８）。
【０１２２】
この場合のＬＥＤの点灯制御の方法としては、次のような方法が挙げられる。その一つは、接近している人がいなくても、被撮影要求を送出している間は、ずっとＬＥＤを点灯する方法である。この場合には、被撮影要求をユーザが取り下げれば、ＬＥＤを消灯する。二つ目は、接近した撮像記録装置が１台でもあれば、ＬＥＤを点灯する方法である。この場合には、接近している撮像記録装置がすべてなくなったときに、ＬＥＤを消灯するようにする。
【０１２３】
次に、ＣＰＵ１０１は、自己の撮像記録装置の識別情報（前記識別情報ＩＤｒに対応）と、自分の写っている撮像画像の要求などに関する、ポリシー情報の一部とを伴った情報取得要求を、相手の他の撮像記録装置に送る（ステップＳ９）。
【０１２４】
この情報取得要求に対しては、相手の他の撮像記録装置からは、その識別情報（前記識別情報ＩＤｇに対応）と、当該他の撮像記録装置の撮像情報等の配信サービス等を管理するサービスサーバ装置のネットワーク上のアドレス情報、例えばインターネット上のＵＲＬ（ＵＮＩＦＯＲＭ  ＲＥＳＯＵＲＣＥ  ＬＯＣＡＴＯＲ）と、当該他の撮像記録装置のポリシー情報の一部（例えば前記例示したポリシー情報の（Ｄ）など）とを送ってくる。
【０１２５】
そこで、ＣＰＵ１０１は、当該他の撮像記録装置からの識別情報と、サーバ装置のアドレス情報と、ポリシー情報の一部とを受け取り、それらと、無線接続を開始した現在時間と共に、リクエストリストに、一つのリクエスト情報として記録する（ステップＳ１０）。
【０１２６】
次に、ＣＰＵ１０１は、前記他の撮像記録装置と無線接続中であることを確認するためのセッション情報を生成して、バッファメモリとしてのＲＡＭ１０４に記憶する（ステップＳ１１）。このセッション情報は、例えば無線接続中の２台の撮像記録装置の識別情報と、前記無線接続の開始時刻とから生成した数値情報により構成することができる。無線接続の開始時刻を、セッション情報の生成に使用するのは、同じ撮像記録装置と、複数回、無線接続することがあるので、それぞれの回の無線接続を区別するためである。このため、時間情報の代わりに、回数を用いてセッション情報を生成するようにしてもよい。
【０１２７】
次に、ＣＰＵ１０１は、情報取得要求についてのポリシー情報が、自分が写っている撮像画像のみを要求（以下、本人限定要求という）しているかどうか判別し（ステップＳ１２）、本人限定要求をしていると判別した時には、ＣＰＵ１０１は、前述の撮影要求者撮影判別で説明したように、自己の撮像記録装置１のＧＰＳ受信機１２４で使用中のＧＰＳ衛星の情報と、当該ＧＰＳ受信機１２４で測定した位置情報とを、他の撮像記録装置に送る（ステップＳ１３）。
【０１２８】
次に、ポリシー情報に基づき撮像画像情報の提供をすると設定されているかどうかを判別する（図７のステップＳ２１）。ステップＳ１２で、本人限定要求はないと判別したときには、ステップＳ１３をバイパスして、ステップＳ２１に進む。また、ステップＳ７で、撮像画像の要求をしてはいないと判別したときにも、ステップＳ２１にジャンプする。
【０１２９】
ステップＳ２１で、撮像画像情報の提供をすると設定されていると判別したときには、自己の撮像記録装置の識別情報（前記識別情報ＩＤｇに対応）と、当該自己の撮像記録装置の撮像情報等の配信サービス等を管理するサービスサーバ装置のネットワーク上のアドレス情報、この例ではインターネット上のＵＲＬと、当該自己の撮像記録装置のポリシー情報の一部（例えば前記例示したポリシー情報の（Ｄ）など）を、他の撮像記録装置に送る（ステップＳ２２）。
【０１３０】
なお、ステップＳ２１で、撮像画像情報の提供をすると判別したときに、情報取得要求をしている他の撮像記録装置があるときには、当該情報取得要求している他の撮像記録装置があることを、例えば表示部１２６や、撮像部１２１のファインダーなどに表示して、撮像記録装置１の使用者に報知するようにすることもできる。この報知により、情報要求側装置における撮像要求報知と相俟って、当該撮像記録装置１の使用者は、撮像情報取得要求者の要求に沿うように協力することが可能になる。
【０１３１】
次に、ＣＰＵ１０１は、当該他の撮像記録装置からの識別情報（前記識別情報ＩＤｒ）と、ポリシー情報の一部とを含む情報取得要求を受け取り、それらと、無線接続を開始した現在時間と共に、送信リストに、一つの情報提供情報として記録する（ステップＳ２３）。
【０１３２】
次に、ＣＰＵ１０１は、前記他の撮像記録装置と無線接続中であることを確認するためのセッション情報を生成して、バッファメモリとしてのＲＡＭ１０４に記憶する（ステップＳ２４）。このステップＳ２４は、セッション情報が、ステップＳ１０で既に生成されている場合には、省略される。
【０１３３】
次に、ＣＰＵ１０１は、相手の他の撮像記録装置からの情報取得要求についてのポリシー情報が、本人限定要求しているかどうか判別し（ステップＳ２５）、本人限定要求をしてはいないと判別したときには、相手の他の撮像記録装置との無線接続が継続しているか否か判別する（ステップＳ２６）。ステップＳ２１で、自己の撮像記録装置が画像提供しないとポリシー情報により設定されていたと判別したときにも、このステップＳ２６にジャンプする。
【０１３４】
ステップＳ２６で、相手の他の撮像記録装置との無線接続が継続していると判別したときには、ＣＰＵ１０１は、相手の他の撮像記録装置との間でセッション情報を交換し、セッション情報がやり取りをできるかチェックする（ステップＳ２７）。そして、ステップＳ２６に戻る。無線接続中は、セッション情報のやり取りが可能であり、セッション情報のやり取りができなくなったときには、相手の他の撮像記録装置と自己の撮像記録装置とが離間して、無線接続が不可となったことが判る。
【０１３５】
ステップＳ２６で、無線接続ができなくなったと判別したときには、ＣＰＵ１０１は、当該無線接続ができなくなった時刻を、今回の無線接続の終了時刻として、リクエストリストおよび／または送信リストに書き込む（ステップＳ２８）。したがって、リクエストリストおよび送信リストには、各回の取得要求情報および情報提供情報に、時間情報として、無線接続されていた期間の始点と終点の時刻が記録される。そして、ＣＰＵ１０１は、この処理ルーチンを終了する。
【０１３６】
次に、ステップＳ２５で、本人限定要求があると判別したときには、ＣＰＵ１０１は、情報取得要求してきた他の撮像記録装置から使用中のＧＰＳ衛星のリストを受信し（図８のステップＳ３１）、使用中のＧＰＳ衛星は、自己の撮像記録装置と相手の撮像記録装置とで同じであるか否か判別する（ステップＳ３２）。
【０１３７】
ステップＳ３２で、使用中のＧＰＳ衛星は、自己の撮像記録装置と相手の撮像記録装置とで同じではないと判別したときには、ＣＰＵ１０１は、本人限定要求には応えることができないので、ステップＳ２６に進む。
【０１３８】
ステップＳ３２で、使用中のＧＰＳ衛星は、自己の撮像記録装置と相手の撮像記録装置とで同じであると判別したときには、ＣＰＵ１０１は、相手の他の撮像記録装置から、位置情報を受信し（ステップＳ３３）、相手の他の撮像記録装置との無線接続が継続しているか否か判別する（ステップＳ３４）。ステップＳ３４で、無線接続ができなくなったと判別したときには、ステップＳ２８に進み、当該無線接続ができなくなった時刻を、今回の無線接続の終了時刻として、リクエストリストおよび／または送信リストに書き込む。
【０１３９】
ステップＳ３４で、相手の他の撮像記録装置との無線接続が継続していると判別したときには、ＣＰＵ１０１は、自己の撮像記録装置のＧＰＳ受信機１２４で測定した位置情報と、相手の他の撮像記録装置から受信した位置情報とから、自己の撮像記録装置に対する他の撮像記録装置の方向を算出する（ステップＳ３５）。
【０１４０】
次に、ＣＰＵ１０１は、電子コンパス１２５で算出した方向と、画角と、ステップＳ３５で算出した自己の撮像記録装置に対する他の撮像記録装置の方向とから、他の撮像記録装置の使用者が、撮像部１２１で撮像可能であるかどうか算出する（ステップＳ３６）。そして、ＣＰＵ１０１は、他の撮像記録装置の使用者が、撮像部１２１で撮像可能であるか否か判別し（ステップＳ３７）、撮像可能ではないと判別したときには、ステップＳ３３に戻る。また、ステップＳ３７で、撮像可能であると判別したときには、ＣＰＵ１０１は、撮像画像データに要求者撮影可能フラグを付加してデータ格納部１２３に格納する（ステップＳ３８）。
【０１４１】
そして、ＣＰＵ１０１は、撮像情報の取得要求をしている他の撮像記録装置の使用者を、当該撮像記録装置１の撮像部１２１で撮像可能であることを、例えば、表示部１２６や撮像部１２１のビューファインダーにメッセージ表示して、要求者撮影可能報知を、当該撮像記録装置１の使用者に対して行なう（ステップＳ３９）。その後、ステップＳ３３に戻る。
【０１４２】
＜撮像記録装置のネットワーク接続時の処理動作＞
図９は、撮像記録装置１をネットワーク４に接続したときの情報取得に関する処理動作を説明するためのフローチャートである。この図９の例は、ネットワークに接続時のポリシー情報は、ネットワーク接続時に、要求のあった撮像情報のサーバ装置への送信を自動で行なうと共に、リクエスト要求を自動的にサーバ装置に送るようにするように設定されているものとした場合である。
【０１４３】
先ず、ＣＰＵ１０１は、ネットワーク４に撮像記録装置が接続されたか否か判別し（ステップＳ４１）、接続されていないと判別したときには、その他の処理を実行する（ステップＳ４２）。
【０１４４】
ステップＳ４１でネットワーク４に撮像記録装置が接続されたと判別したときには、ＣＰＵ１０１は、送信リストに情報提供情報が存在しているかどうかをチェックして、送信要求があるかどうか判別する（ステップＳ４３）。
【０１４５】
送信要求があると判別したときには、ＣＰＵ１０１は、送信リストから、要求側装置の識別情報ＩＤｒと、時間情報としての無線接続をしていた期間の始点と終点の時刻情報を読み出す（ステップＳ４４）。
【０１４６】
次に、ＣＰＵ１０１は、送信リストに本人限定要求のポリシー情報が記録されているか否か判別し（ステップＳ４５）、本人限定要求がされていなければ、前記時間情報に基づいて、無線接続をしていた期間の撮像画像データをデータ格納部１２３から読み出す（ステップＳ４６）。また、本人限定要求がされているときには、前記時間情報に基づいて、無線接続をしていた期間の撮像画像情報中の、要求者撮影可能フラグが付加されている撮像画像データをデータ格納部１２３から読み出す（ステップＳ４７）。
【０１４７】
ステップＳ４６およびステップＳ４７の次には、ステップＳ４８に進み、ＣＰＵ１０１は、抽出した撮像画像データを表示コントローラ１１２を介して表示部１２６に表示して、使用者に、このままサーバ装置に送信してよいかどうかの問合せをする。使用者は、この表示部１２６に表示されている画像をチェックし、必要に応じて、送信したくない画像を削除するなどの編集作業をするので、ＣＰＵ１０１は、その編集結果を受け付ける（ステップＳ４８）。また、使用者は、すべての撮像画像データを送りたくない場合には、その旨を入力するようにするので、その旨の入力も受け付ける（ステップＳ４８）。
【０１４８】
次に、ＣＰＵ１０１は、使用者の指示により、すべての撮像画像データの送信が不可となっているかどうか判別し（ステップＳ４９）、すべての撮像画像データの送信が不可されたと判別したときには、自己の撮像画像装置の撮像画像データ等の配信サービス等を管理するサーバ装置にネットワークを通じて接続し、送信拒否メッセージを、前記送信リストに記録されている情報要求側の撮像記録装置の識別情報ＩＤｒおよび時間情報と共に、前記サーバ装置に送る（ステップＳ５０）。
【０１４９】
また、ステップＳ４９で、撮像情報のサーバ装置への送信が可能であると判別したときには、前記サーバ装置にネットワークを通じて接続し、ステップＳ４６またはステップＳ４７で抽出し、ステップＳ４８で編集した撮像画像データを、前記送信リストに記録されている情報要求側の撮像記録装置の識別情報ＩＤｒおよび時間情報と共に、前記サーバ装置に送る（ステップＳ５１）。
【０１５０】
ステップＳ５０およびステップＳ５１の次には、ステップＳ５２に進み、送信リストに記録されているすべての情報提供情報についての処理が終了したか否か判別し、送信リストに、処理が終了していない情報提供情報が残っていると判別したときには、ステップＳ４４に戻り、ステップＳ４４以降の前述した処理を繰り返す。また、ステップＳ５２で、送信リストに記録されているすべての情報提供情報についての処理が終了したと判別したときには、この処理ルーチンを終了する。
【０１５１】
また、ステップＳ４３で、送信リストに情報提供情報は存在していないと判別したときには、ＣＰＵ１０１は、リクエストリストをチェックして、自己の撮像記録装置からのリクエスト情報が存在しているか否か判別し（図１０のステップＳ６１）、自己の撮像記録装置からのリクエスト情報はないと判別したときには、その他の処理を実行する（ステップＳ６２）。
【０１５２】
また、ステップＳ６１で、リクエストリストに自己の撮像記録装置からのリクエスト情報があると判別したときには、ＣＰＵ１０１は、リクエストリストから、情報提供側の撮像記録装置の識別情報ＩＤｇと、サーバ装置のアドレス情報としてのＵＲＬと、時間情報としての無線接続をしていた期間の始点と終点の時刻情報を読み出して、前記サーバ装置に接続すると共に、自己の識別情報ＩＤｒと、情報提供側の撮像記録装置の識別情報ＩＤｇと、前記時間情報とを前記サーバ装置に送る（ステップＳ６３）。
【０１５３】
これに対しては、サーバ装置では、要求された情報が、情報提供側の撮像記録装置からアップロードされて登録されているかどうかをチェックし、そのチェック結果を送ってくるので、そのチェック結果を受信する（ステップＳ６４）。そして、ＣＰＵ１０１は、その受信したチェック結果から、要求した情報が、サーバ装置に登録されているか否か判別し（ステップＳ６５）、要求した情報がサーバ装置に未だ登録されていないと判別したときには、一旦、サーバ装置との接続を切断して、例えばリクエストリストの当該リクエスト情報に再アクセスのフラグを付し、例えば、要求した情報がサーバ装置に登録されるのを期待できる程度の時間経過後の再アクセスを登録する（ステップＳ６６）。ＣＰＵ１０１は、一定時間後に、リクエストリストを参照して、再アクセスのフラグが付されているリクエスト情報について、ステップＳ６３以降と同様の処理を実行する。
【０１５４】
次に、ＣＰＵ１０１は、リクエストリストに記録されているすべてのリクエスト情報についての処理が終了したか否か判別し、リクエストリストに、処理が終了していないリクエスト情報が残っていると判別したときには、ステップＳ６３に戻り、ステップＳ６３以降の前述した処理を繰り返す。また、ステップＳ７０で、リクエストリストに記録されているすべてのリクエスト情報についての処理が終了したと判別したときには、この処理ルーチンを終了する。
【０１５５】
また、ステップＳ６５で、要求した情報がサーバ装置に登録されていると判別したときには、ＣＰＵ１０１は、サーバ装置から、情報提供側の送信拒否メッセージを受信したか否か判別し（ステップＳ６７）、受信したと判別したときには、情報提供側が撮像情報の送信を拒否していることを示すメッセージを、情報提供側の識別情報ＩＤｇおよび時刻情報と共に、表示部１２６の表示画面に表示し（ステップＳ６８）、ステップＳ７０に進む。
【０１５６】
また、ステップＳ６７で、送信拒否メッセージを受信しなかったと判別したときには、サーバ装置からは情報取得要求している撮像情報等が送られてくるので、ＣＰＵ１０１は、当該撮像情報等を受信して、データ格納部１２３に格納する（ステップＳ６９）。その後、ステップＳ７０に進み、ＣＰＵ１０１は、リクエストリストに、処理が終了していないリクエスト情報が残っているときには、ステップＳ６３に戻り、ステップＳ６３以降の前述した処理を繰り返し、また、リクエストリストに記録されているすべてのリクエスト情報についての処理が終了しているときには、この処理ルーチンを終了する。
【０１５７】
＜サーバ装置の処理動作＞
次に、撮像記録装置１からのアクセスに対応するサービスサーバ装置における処理動作を、図１１および図１２のフローチャートを参照して説明する。
【０１５８】
すなわち、図１１に示すように、サーバ装置は、撮像記録装置１の接続アクセスを監視し（ステップＳ８１）、撮像記録装置１の接続を確認したときには、撮像記録装置１からデータ送信要求（アップロード要求）を受信したか否か判別する（ステップＳ８２）。
【０１５９】
ステップＳ８２でデータ送信要求を受信したと判別したときには、アクセスしてきた撮像記録装置１から受信した情報中の識別情報などから、アクセスしてきた撮像記録装置が、自己が管理する撮像記録装置であるかどうかの認証確認を行なう（ステップＳ８３）。そして、認証ＯＫであるか否か判別し（ステップＳ８４）、認証が取れなかったときには、エラーメッセージをアクセスしてきた撮像記録装置に送って（ステップＳ８５）、この処理ルーチンを終了する。
【０１６０】
ステップＳ８４で、認証ＯＫであると判別したときには、撮像記録装置１から送られてくる、情報取得要求者側の情報を受信して登録する（ステップＳ８６）。次に、撮像記録装置１から送られてくる情報が、情報取得要求者側への撮像情報等の送信拒否メッセージであるか否か判別し（ステップＳ８７）、送信拒否メッセージを受信したと判別したときには、ステップＳ８６で登録した情報要求者側の情報に対応して送信拒否状態を登録する（ステップＳ８８）。
【０１６１】
また、ステップＳ８７では、送信拒否メッセージを受信しなかったと判別したときには、撮像記録装置１から送られてくる撮像画像情報と時間情報（無線接続している期間の始点と終点の時間情報）を、ステップＳ８６で登録した情報要求者側の情報に対応して登録する（ステップＳ８９）。このとき、前述した撮像情報等の配信ポリシーに関するポリシー情報があれば、そのポリシー情報も受信して、情報要求者側の情報に対応して登録する。
【０１６２】
ステップＳ８８およびステップＳ８９の次には、ステップＳ９０に進み、続くデータ送信要求があるか否か判別し、あればステップＳ８６に戻って、このステップＳ８６以降の処理を繰り返し、なければこの処理ルーチンを終了する。
【０１６３】
ステップＳ８２で、データ送信要求を受信しなかったと判別したときには、データ受信要求（ダウンロード要求）を受信したか否か判別し（図１２のステップＳ１０１）、受信しなかったと判別したときには、この例では、エラーメッセージをアクセスしてきた撮像記録装置１に送り（ステップＳ１０２）、この処理ルーチンを終了する。
【０１６４】
ステップＳ１０２で、データ受信要求を受信したと判別したときには、撮像記録装置からの情報を受信して、その受信情報に基づき、要求されているデータを認識して（ステップＳ１０３）、当該要求されているデータがサーバ装置に既に登録されているかどうか判別し（ステップＳ１０４）、登録されていないと判別したときには、未登録のメッセージをアクセスしてきた撮像記録装置１に送信する（ステップＳ１０５）。
【０１６５】
そして、次に、続くデータ受信要求を受信したか否か判別し（ステップＳ１１３）、続くデータ受信要求を受信したと判別したときには、ステップＳ１０３に戻って、このステップＳ１０３以降の処理を繰り返す。また、ステップＳ１１３で、続くデータ受信要求は受信しなかったと判別したときには、この処理ルーチンを終了する。
【０１６６】
また、ステップＳ１０４で、要求されているデータはサーバ装置に登録済みであると判別したときには、アクセスしてきた撮像記録装置１からの識別情報および登録事項などから、アクセスしてきた撮像記録装置が、要求者（受信者）としての撮像記録装置であるかどうかの認証確認を行なう（ステップＳ１０６）。そして、認証ＯＫであるか否か判別し（ステップＳ１０７）、認証が取れなかったときには、正しい受信者ではない旨のエラーメッセージを、アクセスしてきた撮像記録装置に送って（ステップＳ１０８）、ステップＳ１１３に進む。
【０１６７】
ステップＳ１０７で、認証ＯＫであると判別したときには、要求された情報について、送信拒否が登録されているか否か判別し（ステップＳ１０９）、送信拒否されていると判別したときには、アクセスしてきた撮像記録装置１に、データ提供が拒否されている旨のメッセージを送信する（ステップＳ１１０）。そして、ステップＳ１１３に進む。
【０１６８】
また、ステップＳ１０９で、送信拒否されていないと判別したときには、登録されている撮像画像データや音声データを、アクセスしてきた撮像記録装置１に送信する（ステップＳ１１１）。
【０１６９】
このステップＳ１１１においては、送信に先立ち、サーバ装置は、登録された情報に含まれる時間情報と、データ受信要求の情報に含まれる時間情報とを比較し、同一とみなせるかどうか判別する。時間情報は、撮像記録装置１毎に、若干の誤差があると考えられるので、その誤差の範囲内であれば、時間情報は、同一とみなすようにする。そして、時間情報が同一とみなせる撮像画像データや音声データを送信するようにする。
【０１７０】
なお、サーバ装置とのやり取りの際に、対応するセッション情報を含めるようにすれば、このセッション情報を用いて、対象となる情報とのマッチングを取ることが可能となる。また、自分のリクエストリストに格納されている時間とセッション情報とを用いることにより、自装置の時間が正確なものでなかったとしても、その後の管理は可能である。
【０１７１】
すなわち、本来、撮像記録装置間の時刻のずれは、当然発生していると考えられるので、情報のアップロード側は、要求があった時刻（セッション開始時）を零とする時間情報を送る。情報の受け取り側は、自分のリクエストリストに記録している時刻に送信者からの時間情報を加えると、自分の時間で管理することが可能となる。このような管理にしておけば、複数の機器から情報を供給されるような場合、たとえ、時間が少しばらついていても、自装置では統一的な時間管理が可能である。
【０１７２】
また、サーバ装置は、情報提供側装置からの配信ポリシー情報（前述したポリシー情報の（Ｄ）参照）を斟酌し、この配信ポリシー情報に従った送信（配信）情報についての制限処理なども行なう。例えば、撮像情報のみの配信が可能とされ、音声情報の配信は不可とされている場合には、サーバ装置は、音声情報が登録されていても、音声情報の配信は行なわない。
【０１７３】
ステップＳ１１１での送信後、サーバ装置は、送信済みデータを削除するなどのデータ送信済み処理を行なう（ステップＳ１１２）。そして、ステップＳ１１３に進み、続くデータ受信要求があるか否か判別し、あればステップＳ１０３に戻って、このステップＳ１０３以降の処理を繰り返し、なければこの処理ルーチンを終了する。
【０１７４】
なお、上述の説明においては、撮像記録装置は、情報要求・提供装置の構成であったが、無線接続される携帯装置の一方が情報提供側装置の構成のみを備え、他方が情報要求側装置の構成を備えるようにしても良い。
【０１７５】
また、上述の実施形態では、情報提供側の撮像記録装置の情報を管理するサーバ装置と、情報要求側の撮像記録装置の情報を管理するサーバ装置とが異なる場合であるが、共通の同じサーバ装置であってもよいことは前述した通りである。共通の同じサーバ装置とした場合には、予めサーバ装置のアドレス情報を、各撮像記録装置が記憶しておくことにより、無線接続時には、サーバ装置のアドレス情報のやり取りは不要となる。
【０１７６】
＜第２の実施形態＞
第１の実施形態では、撮像記録装置１同士で、情報提供意思、情報要求意思のやり取りを行なって、情報の授受を行なうようにしたが、相互の情報の授受ではなく、一方は情報提供のみを行なうようにする装置とすることもできる。第２の実施形態は、そのような場合にこの発明を適用した例である。
【０１７７】
図１３は、この第２の実施形態の場合の情報取得システムの概要を示す図である。この例においては、例えば、観光名所や、テーマパーク、イベント会場などにおいて、予め定めた固定位置に、上述した撮像記録装置１と同様の構成の固定局装置５を設置する。この固定局装置５は、それぞれ撮像部５２１を備える。この例では、撮像部５２１は、予め定めた固定方向に向けられ、その方向おいて、当該撮像部５２１の画角の範囲の撮像が可能なように設置されている。
【０１７８】
そして、固定局装置５は、例えば有線あるいは無線のＬＡＮ（Ｌｏｃａｌ  Ａｒｅａ  Ｎｅｔｗｏｒｋ）からなるネットワークを通じて管理センター装置６のサービスサーバ装置７に接続されている。
【０１７９】
この第２の実施形態では、固定局装置５は、情報提供側装置を構成し、撮像記録装置１は、情報要求側装置を構成する。
【０１８０】
この第２の実施形態においては、前述した撮像記録装置１を携帯した使用者２が固定局装置５に近づくと、前述したようにして、固定局装置５と撮像記録装置１との間で無線接続がなされる。そして、固定局装置５と無線接続がなされると、撮像記録装置１は、撮像情報の取得要求を、固定局装置５に送ると共に、固定局装置５の識別情報およびサービスサーバ装置７のネットワーク上のアドレス情報、例えばＵＲＬを受信して、前述の第１の実施形態の場合と同様にして、その無線接続の時間情報と共に、リクエストリストに記録するようにする。
【０１８１】
一方、固定局装置５は、この撮像記録装置からの情報取得要求を受け取って、前述の第１の実施形態の場合と同様にして、前記撮像記録装置の識別情報や、その無線接続の時間情報と共に、送信リストに記録する。
【０１８２】
このとき、前述の実施形態と同様に、撮像記録装置１は、本人限定要求などの条件情報（ポリシー情報）を送ることもできる。なお、この第２の実施形態では、固定局装置５では、撮像画像の提供を前提とするので、情報の提供が可能であるかどうかについてのポリシー情報の交換は必要ない場合もある。
【０１８３】
そして、前記無線接続の後の時点において、固定局装置５は、送信リストに従ってサービスサーバ装置７に、撮像記録装置１からの要求情報をアップロードする。一方、撮像記録装置１は、前述と同様にして、サービスサーバ装置７にアクセスして、リクエストリストに従ってダウンロード要求して、要求した情報を取得するようにする。
【０１８４】
＜固定局装置のハードウエア構成例＞
図１４は、この第２の実施形態における固定局装置５のブロック図である。この例の固定局装置５は、前述した撮像記録装置１の構成のうちの、情報要求側装置としての機能は有しない。
【０１８５】
図１４に示すように、固定局装置５は、ＣＰＵ５０１に対して、システムバス５０２を介して、ＲＯＭ５０３と、ＲＡＭ５０４とが接続されたコンピュータを備える構成となっている。
【０１８６】
そして、システムバス５０２に対して、撮像部コントローラ５０５と、撮像信号処理部５０６と、位置・方位情報記憶部５０７と、撮影要求者撮影判別部５０８と、データ格納部コントローラ５０９と、計時部５１１と、無線通信部コントローラ５１３と、キー入力インターフェース５１４と、ネットワークインターフェース５１５とが接続されている。
【０１８７】
撮像部コントローラ５０５は、ＲＯＭ５０３に格納されているプログラムにしたがったＣＰＵ５０１からの制御に基づいて、撮像部コントロール信号を撮像部５２１に供給する。撮像部５２１は、撮像部１２１と同様の構成を備え、この撮像部５２１からの撮像画像信号は、Ａ／Ｄ変換器５２２によりデジタル信号に変換された後、撮像信号処理部５０６に供給される。撮像信号処理部５０６では、ＲＯＭ５０３に記憶されているプログラムに従ったＣＰＵ５０１からの制御指示命令により処理が実行されて、Ａ／Ｄ変換器５２２からの撮像画像信号が、動画像の場合には例えばＭＰＥＧ方式により画像データ圧縮され、また、静止画像の場合には、例えばＪＰＥＧ方式により画像データ圧縮されると共に、適切な記録フォーマットに変換される。また、この例では、撮像信号処理部５０６では、計時部５１１からの時刻情報が用いられて、撮像画像データに撮像時刻の情報が付加される処理も行なわれる。
【０１８８】
また、撮影要求者撮影判別部５０８においては、前述したように、撮像情報の取得要求をしてきた相手方の撮像記録装置１の使用者が、当該固定局装置５の撮像部５２１により撮像されている可能性があるか否かを判断して、その判断結果をシステムバス５０２に出力するが、撮像信号処理部５０６では、前記判断結果が、撮像されている可能性有りのときには、要求者撮影可能フラグを、その撮影可能性があると判断されている期間、撮像データに付加するようにする処理も行なう。
【０１８９】
そして、撮像信号処理部５０６で適切な記録フォーマットに変換された、撮像時刻の情報や要求者撮影可能フラグを含む撮像画像データは、システムバス５０２を通じてデータ格納部コントローラ５０９に転送される。データ格納部コントローラ５０９は、受け取った撮像画像データを、前述のデータ格納部１２３と同様の構成のデータ格納部５２３に格納する。
【０１９０】
位置および方位情報記憶部５０７には、固定局装置５は固定位置に設置されているので、予め測定された当該固定局装置５の正確な設置位置情報が記憶されると共に、撮像部５２１の撮像方向（画角と撮像部５２１の光学系の光軸の方向から定められる方向である）の情報としての方位情報が記憶される。
【０１９１】
なお、固定局装置５の撮像部５２１の撮像方向を、管理センター装置６からの遠隔制御信号により、アクチエータやモータを駆動することにより変更できるように構成することもできるが、その場合には、この位置および方位情報記憶部５０７の代わりに、第１の実施形態の場合におけるＧＰＳ受信機１２４および電子コンパス１２５を具備する位置・方位検出処理部を設けるようにする。
【０１９２】
撮影要求者撮影判別部５０８は、撮像記録装置１と無線接続されていて、撮像情報の取得要求を当該撮像記録装置１から受けているときに、当該像記録装置の使用者を、撮像部５２１で撮像可能かどうかを判別するもので、前述の第１の実施形態の撮影要求者撮影判別部１０８と同様に、撮影要求者の撮像記録装置１から取得した当該撮像記録装置１の位置情報と、固定局装置５の位置情報とから、撮影要求者が、固定局装置５に対してどの方向にいるかを判別し、その方向と、撮像部５２１の撮像方向を示す方位情報とから、固定局装置５の撮像部５２１が撮影要求者を撮影できる可能性があるかどうかを判別する。
【０１９３】
無線通信部インタフェース５１３は、これに接続される無線通信部５２７に対する通信データの送受を行なう。無線通信部５２７は、この例においても、近距離無線通信が可能なもの、例えばＢｌｕｅｔｏｏｔｈ規格の電波による無線通信手段が用いられる。したがって、撮像記録装置１が接近して、両者の距離が、無線通信部５２７の通信可能距離範囲内になると、当該撮像記録装置１と自動的に無線接続されて、無線通信が可能となる。
【０１９４】
なお、無線通信部５２７としては、この例のような電波を用いるものに限定されるものではなく、赤外線や光を用いたものであってもよい。
【０１９５】
キー入力インターフェース５１４には、キー入力操作部５２８が接続される。キー入力操作部５２８は、種々の設定情報を入力するため等のキーを備える。
【０１９６】
ネットワークインターフェース５１５は、サービスサーバ装置７に接続するためのものである。サービスサーバ装置７は、図１４に示すように、インターネットなどのブロードバンドネットワークに接続されている。
【０１９７】
なお、撮像記録装置１は、第１の実施形態の場合と同様の構成とされている。ただし、この第２の実施形態においては、撮像記録装置１は、撮像画像データ等の情報提供の機能は不要であり、その機能を削除しても良い。しかし、撮像記録装置１が、固定局装置５のみではなく、第１の実施形態のように、他の撮像記録装置１と無線接続して、上述した第１の実施形態の動作を行なうようにする場合には、撮像記録装置１は、第１の実施形態と全く同一の構成を備えることは言うまでもない。
【０１９８】
＜固定局装置５と、撮像記録装置１との無線接続時の処理動作＞
図１５は、撮像記録装置１が、固定局装置５と無線接続する場合の処理動作を説明するためのフローチャートである。
【０１９９】
図１５に示すように、ＣＰＵ１０１は、固定局装置５に対する接近による無線接続を監視し（ステップＳ１２１）、無線接続がなされたか否か判別し（ステップＳ１２２）、無線接続がなされていなければ、ステップＳ１２１に戻って、前記監視を続ける。
【０２００】
ステップＳ１２２で、固定局装置５と無線接続されたと判別したときには、ＣＰＵ１０１は、当該固定局装置５に対して、自装置の識別情報ＩＤｒと、ポリシー情報を送信して撮像画像情報の取得要求をする（ステップＳ１２３）。
【０２０１】
この撮像画像情報の取得要求に対しては、固定局装置５からは、その識別情報（前記識別情報ＩＤｇに対応）と、当該固定局装置５が接続されているサービスサーバ装置７のネットワーク上のアドレス情報、例えばインターネット上のＵＲＬ（ＵＮＩＦＯＲＭ  ＲＥＳＯＵＲＣＥ  ＬＯＣＡＴＯＲ）とを送ってくる。
【０２０２】
そこで、ＣＰＵ１０１は、当該固定局装置５からの識別情報ＩＤｇと、サービスサーバ装置７のアドレス情報とを受け取り、それらと、無線接続を開始した現在時間と共に、リクエストリストに、一つのリクエスト情報（情報要求情報）として記録する（ステップＳ１２４）。
【０２０３】
次に、ＣＰＵ１０１は、前記固定局装置５と無線接続中であることを確認するためのセッション情報を生成して、バッファメモリとしてのＲＡＭ１０４に記憶する（ステップＳ１２５）。このセッション情報は、例えば無線接続中の２台の装置５と装置１の識別情報と、前記無線接続の開始時刻とから生成した数値情報により構成することができる。無線接続の開始時刻を、セッション情報の生成に使用するのは、撮像記録装置１と固定局装置５とが、複数回、無線接続することがあるので、それぞれの回の無線接続を区別するためである。このため、時間情報の代わりに、回数を用いてセッション情報を生成するようにしてもよい。
【０２０４】
次に、ＣＰＵ１０１は、情報取得要求についてのポリシー情報が、自分が写っている撮像画像のみを要求（以下、本人限定要求という）しているかどうか判別し（ステップＳ１２６）、本人限定要求をしていると判別した時には、ＣＰＵ１０１は、ＧＰＳ受信機１２４で測定した位置情報を、固定局装置５に送る（ステップＳ１２７）。その後、ステップＳ１２８に進む。また、ステップＳ１２６で、本人限定要求していないと判別したときには、ＣＰＵ１０１は、ステップＳ１２７をバイパスしてステップＳ１２８に進む。
【０２０５】
ステップＳ１２８では、固定局装置５との無線接続が継続しているか否か判別する。このステップＳ１２８で、固定局装置５との無線接続が継続していると判別したときには、ＣＰＵ１０１は、固定局装置５との間でセッション情報を交換し、セッション情報がやり取りをできるかチェックする（ステップＳ１２９）。そして、ステップＳ１２８に戻る。無線接続中は、セッション情報のやり取りが可能であり、セッション情報のやり取りができなくなったときには、固定局装置５と自己の撮像記録装置１とが離間して、無線接続が不可となったことが判る。
【０２０６】
ステップＳ１２８で、無線接続ができなくなったと判別したときには、ＣＰＵ１０１は、当該無線接続ができなくなった時刻を、今回の無線接続の終了時刻として、リクエストリストに書き込む（ステップＳ１３０）。したがって、リクエストリストには、各回の取得要求情報および情報提供情報に、時間情報として、無線接続されていた期間の始点と終点の時刻が記録される。そして、ＣＰＵ１０１は、この処理ルーチンを終了する。
【０２０７】
次に、図１６および図１７を参照して、固定局装置５が、撮像記録装置１と無線接続するときの処理動作を説明する。この図１６および図１７における各ステップの処理動作は、ＣＰＵ５０１が、ＲＯＭ５０３のプログラムにしたがって、ＲＡＭ５０４をワークエリアとして使用して実行する。
【０２０８】
図１６に示すように、ＣＰＵ５０１は、撮像記録装置１の接近および無線接続を監視し（ステップＳ１４１）、無線接続がなされたか否か判別し（ステップＳ１４２）、無線接続がなされていなければ、ステップＳ１４１に戻って、前記監視を続ける。
【０２０９】
ステップＳ１４２で、撮像記録装置１と無線接続されたと判別したときには、ＣＰＵ５０１は、当該撮像記録装置からの識別情報ＩＤｒとポリシー情報の一部の情報とを伴う撮像画像要求を受信する（ステップＳ１４３）。
【０２１０】
次に、ＣＰＵ５０１は、自己の固定局装置５の識別情報（前記識別情報ＩＤｇに対応）と、サービスサーバ装置７のネットワーク上のアドレス情報、この例ではインターネット上のＵＲＬとを、撮像記録装置１に送る（ステップＳ１４４）。ここで、固定局装置５側にもポリシー情報が設定されている場合には、このステップＳ１４４において、固定局装置５から撮像記録装置1に送信するようにする。
【０２１１】
次に、ＣＰＵ５０１は、撮像記録装置１からの識別情報（前記識別情報ＩＤｒ）と、ポリシー情報の一部とを受け取り、それらと、無線接続を開始した現在時間と共に、送信リストに、一つの情報提供情報として記録する（ステップＳ１４５）。
【０２１２】
次に、ＣＰＵ５０１は、撮像記録装置１と無線接続中であることを確認するためのセッション情報を生成して、バッファメモリとしてのＲＡＭ５０４に記憶する（ステップＳ１４６）。
【０２１３】
次に、ＣＰＵ５０１は、相手の撮像記録装置１からの情報取得要求についてのポリシー情報が、本人限定要求しているかどうか判別し（ステップＳ１４７）、本人限定要求をしてはいないと判別したときには、相手の撮像記録装置１との無線接続が継続しているか否か判別する（ステップＳ１４８）。
【０２１４】
ステップＳ１４８で、相手の撮像記録装置１との無線接続が継続していると判別したときには、ＣＰＵ５０１は、相手の撮像記録装置１との間でセッション情報を交換し、セッション情報がやり取りをできるかチェックする（ステップＳ１４９）。そして、ステップＳ１４８に戻る。無線接続中は、セッション情報のやり取りが可能であり、セッション情報のやり取りができなくなったときには、相手の撮像記録装置１と自己の固定局装置５とが離間して、無線接続が不可となったことが判る。
【０２１５】
ステップＳ１４８で、無線接続ができなくなったと判別したときには、ＣＰＵ５０１は、当該無線接続ができなくなった時刻を、今回の無線接続の終了時刻として、送信リストに書き込む（ステップＳ１５０）。したがって、送信リストには、各回の情報提供情報に、時間情報として、無線接続されていた期間の始点と終点の時刻が記録される。
【０２１６】
そして、ＣＰＵ５０１は、送信リストに記録されている撮像記録装置１の識別情報ＩＤｒと、自己の固定局装置５の識別情報ＩＤｇと、両装置が無線接続されていた時間情報とに対応して、データ格納部５２３に格納されている撮像画像情報等をサービスサーバ装置７に送信すると共に、その送信終了後、データ格納部５２３から、送信した情報を削除する（ステップＳ１５１）。
【０２１７】
次に、ＣＰＵ５０１は、固定局装置５が設置されているテーマパークやイベント会場における営業の終了時刻になったか否か判別し（ステップＳ１５２）、営業の終了時刻になっていないと判別したときには、ステップＳ１４１に戻り、撮像記録装置１との無線接続の監視を再開する。また、ステップＳ１５２で、営業終了時刻になったと判別したときには、この処理ルーチンを終了する。
【０２１８】
次に、ステップＳ１４７で、本人限定要求があると判別したときには、ＣＰＵ５０１は、情報取得要求してきた撮像記録装置１から、位置情報を受信し（ステップＳ１６１）、相手の撮像記録装置１との無線接続が継続しているか否か判別する（ステップＳ１６２）。ステップＳ１６２で、無線接続ができなくなったと判別したときには、ステップＳ１５０に進み、当該無線接続ができなくなった時刻を、今回の無線接続の終了時刻として、送信リストに書き込む。
【０２１９】
ステップＳ１６２で、相手の他の撮像記録装置との無線接続が継続していると判別したときには、ＣＰＵ５０１は、位置および方位情報記憶部５０７に記憶されている位置情報と、相手の撮像記録装置から受信した位置情報とから、固定局装置５に対する無線接続中の撮像記録装置１の方向を算出する（ステップＳ１６３）。
【０２２０】
次に、ＣＰＵ５０１は、位置および方位情報記憶部５０７に記憶されている方向と、画角と、ステップＳ１６３で算出した自己の固定局装置５に対する無線接続中の撮像記録装置１の方向とから、当該無線接続中の撮像記録装置１の使用者が、撮像部５２１で撮像可能であるかどうか算出する（ステップＳ１６４）。
【０２２１】
そして、ＣＰＵ５０１は、無線接続中の撮像記録装置１の使用者が、撮像部５２１で撮像可能であるか否か判別し（ステップＳ１６５）、撮像可能ではないと判別したときには、ステップＳ１６２に戻る。また、ステップＳ１６５で、撮像可能であると判別したときには、ＣＰＵ５０１は、撮像画像データに要求者撮影可能フラグを付加してデータ格納部５２３に格納する（ステップＳ１６６）。そして、ＣＰＵ５０１は、ステップＳ１６２に戻る。
【０２２２】
以上のようにして、固定局装置５の送信リストに登録され、サービスサーバ装置７に登録された情報は、前述とほぼ同様にして、撮像記録装置１がネットワークを通じてサービスサーバ装置７にアクセスすることにより、取得することが可能である。
【０２２３】
この第２の実施形態の場合には、撮像記録装置１は、自装置からの情報提供する機能を備える必要がない。したがって、情報要求側装置としては、撮像記録装置とする必要はない。つまり、情報要求側装置は、撮像部や撮像データ等を格納するための大容量のデータ格納部は不要である。
【０２２４】
このため、情報要求側装置は、ＰＤＡ（Ｐｅｒｓｏｎａｌ  Ｄｉｇｉｔａｌ  Ａｓｓｉｓｔａｎｔｓ）や携帯電話端末、あるいは携帯型のパーソナルコンピュータで構成するようにすることもできる。
【０２２５】
また、第２の実施形態においては、使用者は、観光地やテーマパークあるいはイベント会場に出向く際に、情報要求側装置を持参するのではなく、管理センター装置６を運営する業者が、有料であるいは無料で、情報要求側装置（撮像機能なし）を貸与するようにすることができる。その場合、当該情報要求側装置のデータ格納部は、例えばカード型メモリなど、着脱が可能な記録媒体により、構成し、当該記録媒体を、貸与した使用者に提供するようにする。撮像情報の取得要求した使用者は、自宅に帰って、例えばパーソナルコンピュータに、当該カード型メモリを装着して、上述と同様にしてサービスサーバ装置にアクセスすることにより、要求した撮像情報を取得することができる。
【０２２６】
また、上述の実施形態では、固定局装置５と撮像記録装置１とが無線接続するようにしたときに、情報授受のための情報交換を可能にしたが、ユーザが固定局装置５に、直接的に情報取得要求をするように構成してもよい。
【０２２７】
すなわち、その場合には、固定局装置５に、ユーザが識別情報を入力することができる操作盤を設けると共に、識別情報を入力したユーザにサービスサーバ装置７のＵＲＬと、当該入力時点の時刻情報とを記録紙にプリントアウトできる機能を設ける。ユーザは、自分の識別情報を前記操作盤を通じて入力し、サービスサーバ装置７のＵＲＬと、入力時点の時刻情報と、入力した識別情報とを印字した記録紙を受け取る。
【０２２８】
そして、自宅に帰ったユーザは、パーソナルコンピュータを用いて、インターネットを通じてサービスサーバ装置７にアクセスし、記録紙に印刷されている識別情報と、時刻情報と共に、前記サービスサーバ装置７に情報取得要求を送る。すると、サーバ装置７は、識別情報と時刻情報とから、固定局装置５から登録された情報を検索し、ユーザのパーソナルコンピュータにダウンロードすることができる。
【０２２９】
また、テーマパーク等では、固定局装置５は、イベントの開始、終了に同期させて撮影するようにすると良い。
【０２３０】
また、固定局装置５からの無線電波を絞り、固定局装置５が撮像可能な範囲に入った撮像記録装置１のみを検知するようにしても良い。
【０２３１】
また、固定局装置５は、無線接続した撮像記録装置１の使用者を確実に撮像可能となる。また、固定局装置５が撮像可能な位置にある椅子に撮像要求者が座ったことや、固定局装置５が撮像可能な位置にある記念碑の横に立ったことをセンサなどにより検知して、撮像要求者の存在を固定局装置５が知って、撮像記録を行なうようにすることもできる。
【０２３２】
［変形例］
以上の実施形態の説明では、送信リストやリクエストリストに記録する時間情報は、無線接続した期間の始点および終点の時間情報としたが、取得要求情報を特定するための情報であれば、無線接続した期間の始点のみ、あるいは終点のみの時間情報であっても良い。
【０２３３】
また、取得要求対象となる情報は、無線接続した期間において、データ格納部に格納された情報としたが、これに限られるものではなく、その期間の前後を含むものであってもよいし、また、時間情報として日時情報を用いて、当該日時情報により特定される１日の情報のすべてを取得要求対象の情報とするようにすることもできる。
【０２３４】
以上の実施形態では、情報取得対象は、撮像画像情報あるいは撮像画像情報と音声情報であったが、当該無線接続された時点などにおいて記録された音声情報のみを情報取得対象としても良い。
【図面の簡単な説明】
【０２３５】
【図１】この発明による情報要求・提供装置の実施形態の構成例としての撮像記録装置のブロック図である。
【図２】実施形態の情報要求・提供装置の機能の一部を説明するための図である。
【図３】実施形態の情報要求・提供装置による情報取得方法を説明するための図である。
【図４】実施形態の情報要求・提供装置による情報取得方法を説明するための図である。
【図５】実施形態の情報要求・提供装置による情報取得方法を説明するための図である。
【図６】実施形態の情報要求・提供装置による情報取得方法を説明するためのフローチャートの一部である。
【図７】実施形態の情報要求・提供装置による情報取得方法を説明するためのフローチャートの一部である。
【図８】実施形態の情報要求・提供装置による情報取得方法を説明するためのフローチャートの一部である。
【図９】実施形態の情報要求・提供装置による情報取得方法を説明するためのフローチャートの一部である。
【図１０】実施形態の情報要求・提供装置による情報取得方法を説明するためのフローチャートの一部である。
【図１１】実施形態の情報要求・提供装置による情報取得方法を説明するためのフローチャートの一部である。
【図１２】実施形態の情報要求・提供装置による情報取得方法を説明するためのフローチャートの一部である。
【図１３】この発明による第２の実施形態における情報取得システムの概要を説明するための図である。
【図１４】第２の実施形態における情報提供側装置の例としての固定局装置の構成例を示すブロック図である。
【図１５】第２の実施形態における情報要求側装置の例としての撮像記録装置の処理動作を説明するためのフローチャートである。
【図１６】第２の実施形態における情報提供側装置の例としての固定局装置の処理動作を説明するためのフローチャートの一部である。
【図１７】第２の実施形態における情報提供側装置の例としての固定局装置の処理動作を説明するためのフローチャートの一部である。
【符号の説明】
【０２３６】
１…撮像記録装置、３Ａ，３Ｂ，３Ｃ…サーバ装置、５…固定局装置、７…サーバ装置、
１２１，５２１…撮像部、１１５，５１５…ネットワークインターフェース、１２７，５２７…無線通信部
【図１】
2005086504.tif 000003
【図２】
2005086504.tif 000004
【図３】
2005086504.tif 000005
【図４】
2005086504.tif 000006
【図５】
2005086504.tif 000007
【図６】
2005086504.tif 000008
【図７】
2005086504.tif 000009
【図８】
2005086504.tif 000010
【図９】
2005086504.tif 000011
【図１０】
2005086504.tif 000012
【図１１】
2005086504.tif 000013
【図１２】
2005086504.tif 000014
【図１３】
2005086504.tif 000015
【図１４】
2005086504.tif 000016
【図１５】
2005086504.tif 000017
【図１６】
2005086504.tif 000018
【図１７】
2005086504.tif 000019